(57)【要約】【課題】公開された介護サービス情報を所望のカテゴリで分類して非公開領域に保存する。【解決手段】資源管理システム１は、所定の提供元により提供される介護サービスの内容情報が前記提供元を識別するための識別情報に対応付けられているとともに所定のカテゴリに分類されて、介護サービス情報として記憶されている一般公開地域資源１２１、一般公開介護保険サービス１２２、および非公開地域資源１２３と、一般公開地域資源１２１や一般公開介護保険サービス１２２から非公開地域資源１２３への介護サービス情報の複製が指示された際に、複製元でのカテゴリとは異なるカテゴリを選択可能に表示させる表示制御手段とを備える。【選択図】図４５
2018005718.tif 000002
【特許請求の範囲】
【請求項１】
所定の提供元により提供される介護サービスの内容情報が前記提供元を識別するための識別情報に対応付けられているとともに所定のカテゴリに分類されて、介護サービス情報として記憶されている第１のデータベースおよび第２のデータベースと、
前記第１のデータベースから前記第２のデータベースへの前記介護サービス情報の複製が指示された際に、複製元でのカテゴリとは異なるカテゴリを選択可能に表示させる表示制御手段と、
を備えたことを特徴とするデータ管理システム。
【請求項２】
所定の提供元により提供される介護サービスの内容情報が前記提供元を識別するための識別情報に対応付けられているとともに所定のカテゴリ分類に基づいたカテゴリに分類されて、介護サービス情報として記憶されている第１のデータベースおよび第２のデータベースと、
前記第１のデータベースから前記第２のデータベースへの前記介護サービス情報の複製が指示された際に、複製元でのカテゴリ分類とは異なるカテゴリ分類に基づいたカテゴリを選択可能に表示させる表示制御手段と、
を備えたことを特徴とするデータ管理システム。
【請求項３】
コンピュータに、
所定の提供元により提供される介護サービスの内容情報を前記提供元を識別するための識別情報に対応付けるとともに所定のカテゴリに分類する手順と、
前記介護サービスの内容情報を、介護サービス情報として第１のデータベースおよび第２のデータベースに記憶する手順と、
前記第１のデータベースから前記第２のデータベースへの前記介護サービス情報の複製が指示された際に、複製元でのカテゴリとは異なるカテゴリを選択可能に表示させる手順と、
を実行させるためのデータ管理プログラム。
【請求項４】
コンピュータに、
所定の提供元により提供される介護サービスの内容情報が前記提供元を識別するための識別情報に対応付けられているとともに所定のカテゴリ分類に基づいたカテゴリに分類されて、介護サービス情報として第１のデータベースおよび第２のデータベースに記憶する手順と、
前記第１のデータベースから前記第２のデータベースへの前記介護サービス情報の複製が指示された際に、複製元でのカテゴリ分類とは異なるカテゴリ分類に基づいたカテゴリを選択可能に表示させる手順と、
を実行させるためのデータ管理プログラム。
【発明の詳細な説明】
【技術分野】
【０００１】
本発明は、データ管理システムおよびデータ管理プログラムに関する。
【背景技術】
【０００２】
近年では、インターネットや公衆無線通信などの発展に伴い、各種の情報を電子機器（端末装置）に対して提供することができるシステムが運用されている。
例えば、地域住民（要支援者）は、生活支援サービスを受けたいというニーズや、訪問してくれる医療機関を知りたいというニーズがあった。そこで、地域の保険外サービスや在宅医療情報を登録してインターネットで利用者に向けて公開することで、市役所・医師会・ボランティアセンタなどが提供しているサービスを利用者に告知することが行われている。これにより、見逃しがちなインフォーマルサービス（地域資源）を素早く探せる介護専門のポータルサイトが普及し始めている。このような介護専門のポータルサイトにより、地域に存在する資源を見える化し、業務に生かせる様々な情報を発信することができる。また、承認されたメンバ間で情報を共有する事も可能である。
【０００３】
特許文献１に記載の施設情報提供システムは、地図情報、および、少なくとも施設の地点情報およびカテゴリ情報を含む施設情報を記憶し、利用者により入力部を介してカテゴリが入力されるよう制御する。このシステムでは、記憶する施設情報に基づいて、入力されたカテゴリに該当する所定数の施設が表示領域に含まれる地図情報の縮尺を推奨縮尺として算出し、算出した推奨縮尺を出力部を介して出力させることができる。
このように特許文献１に記載された従来技術では、利用者がカテゴリの指定を入力することでカテゴリに該当する施設が検索される。更に表示中の地図の中心位置情報や現在の位置情報に応じた地図上に所定数の施設の位置が表示される。
【先行技術文献】
【特許文献】
【０００４】
【特許文献１】特開２０１２−１６３７３８号公報
【発明の概要】
【発明が解決しようとする課題】
【０００５】
近年の社会の高齢化に伴い、極めて多くの介護サービスが提供されるようになり、その種類は多岐に亘る。これら介護サービス情報は、所定の公開時期を過ぎると公開領域からは消去されてしまう。また、これら介護サービス情報は、システムが提供するカテゴリで分類されていたが、各サービス提供元のカテゴリとは相違することにより、検索しづらい場合が考えられる。
【０００６】
本発明の課題は、公開された介護サービス情報を所望のカテゴリで分類して非公開領域に保存することである。
【課題を解決するための手段】
【０００７】
上記の課題を解決するために、本発明は、
所定の提供元により提供される介護サービスの内容情報が前記提供元を識別するための識別情報に対応付けられているとともに所定のカテゴリに分類されて、介護サービス情報として記憶されている第１のデータベースおよび第２のデータベースと、
前記第１のデータベースから前記第２のデータベースへの前記介護サービス情報の複製が指示された際に、複製元でのカテゴリとは異なるカテゴリを選択可能に表示させる表示制御手段と、
を備えたことを特徴とするデータ管理システムである。
【発明の効果】
【０００８】
本発明によれば、公開された介護サービス情報を所望のカテゴリで分類して非公開領域に保存することができる。
【図面の簡単な説明】
【０００９】
【図１】本実施形態におけるシステムの概略構成を示す図である。
【図２】本実施形態におけるサービス情報の共有関係を説明するための概念図である。
【図３】本実施形態におけるサーバ装置と端末を示すブロック図である。
【図４】本実施形態におけるサーバ装置の地域包括ケア応援サイトのホームページ画面を示す図である。
【図５】本実施形態におけるサーバ装置による検索処理について示すフローチャートである。
【図６】本実施形態におけるサーバ装置による検索処理について示すフローチャートである。
【図７】本実施形態におけるログイン後のホームページ画面を示す図である。
【図８】本実施形態における一般公開地域資源情報の一覧画面のリスト表示を示す図である。
【図９】本実施形態における一般公開地域資源情報の一覧画面のマップ表示を示す図である。
【図１０】本実施形態における詳細検索条件指定画面の上部を示す図である。
【図１１】本実施形態における条件クリアボタンおよび検索ボタンの表示例を示す図である。
【図１２】本実施形態における一般公開地域資源情報の詳細画面の一例を示す図である。
【図１３】本実施形態における対象者毎に一般公開地域資源情報を対応付けて登録する処理を説明するためのフローチャートである。
【図１４】本実施形態における一般公開地域資源情報の登録先を示す登録先一覧の表示例を示す図である。
【図１５】本実施形態における対象者と登録された一般公開地域資源情報（クリップデータ）との関係を示す図である。
【図１６】本実施形態におけるクリップされた一般公開地域資源情報を表示するための処理を説明するためのフローチャートである。
【図１７】本実施形態におけるマイページ画像の一例を示す図である。
【図１８】本実施形態におけるマイページ詳細画面の一例を示す図である。
【図１９】事業者設定内容を示す図である。
【図２０】グループに含まれる事業者を示す模式図である。
【図２１】事業者設定に係る各画面への概略の遷移図である。
【図２２】サービス情報の共有ページの一例を示す図である。
【図２３】サービス情報の共有ページの申し込み前におけるメニューを示す図である。
【図２４】サービス情報の共有ページの申し込み後におけるメニューを示す図である。
【図２５】事業者一覧画面の一例を示す図である。
【図２６】事業者一覧画面からの遷移を示す図である。
【図２７】事業者詳細画面の一例を示す図である。
【図２８】事業者修正更新画面の一例を示す図である。
【図２９】事業者新規登録画面の一例を示す図である。
【図３０】カテゴリ設定一覧画面の一例を示す図である。
【図３１】カテゴリ設定一覧画面からの遷移を示す図である。
【図３２】カテゴリ設定詳細画面の一例を示す図である。
【図３３】大分類・小分類修正更新画面の一例を示す図である。
【図３４】大分類・小分類新規登録画面の一例を示す図である。
【図３５】サービス情報一覧画面の一例を示す図である。
【図３６】サービス情報一覧画面からの遷移を示す図である。
【図３７】サービス情報詳細画面／基本情報の一例を示す図（その１）である。
【図３８】サービス情報詳細画面／基本情報の一例を示す図（その２）である。
【図３９】サービス情報詳細画面／コメントの一例を示す図である。
【図４０】サービス情報修正更新画面の一例を示す図（その１）である。
【図４１】サービス情報修正更新画面の一例を示す図（その２）である。
【図４２】サービス情報新規登録画面の一例を示す図である。
【図４３】クリップした一般公開地域資源一覧画面の一例を示す図である。
【図４４】システム引渡登録画面の一例を示す図である。
【図４５】マイページ投稿の処理を示す概念図である。
【図４６】サービス情報検索画面の一例を示す図である。
【図４７】サービス一覧印刷画面の一例を示す図である。
【図４８】サービス一覧印刷項目設定画面の一例を示す図である。
【図４９】システム掲載情報一覧画面の一例を示す図である。
【図５０】システム掲載情報一覧画面からの遷移を示す図である。
【図５１】システム掲載情報詳細画面の一例を示す図（その１）である。
【図５２】システム掲載情報詳細画面の一例を示す図（その２）である。
【図５３】システム掲載情報修正更新画面の一例を示す図である。
【図５４】システム掲載情報新規登録画面の一例を示す図である。
【発明を実施するための形態】
【００１０】
以下、図面を参照して本発明の実施の形態について説明する。図１から図３は、システムの構成を示している。
図４から図１８は、利用者の各端末から地域包括ケア応援サイトを閲覧した場合を示している。この地域包括ケア応援サイトは、地域資源に特化した情報検索ツールとして機能し、フォーマル情報やインフォーマル情報を検索可能である。更にケアマネージャ向け情報提供として、インフォーマルサービスの活用事例としての地域資源活用法、最近の介護事業の情報提供として法改正や業界動向の介護ニュース解説、地域介護セミナー情報として有識者による講演の講演資料配信などを行う。
図１９から図５４は、企業管理者やシステム管理者の各端末から情報共有ツールを操作した場合を示している。この情報共有ツールは、ケアマネージャや事業者の業務に役立つツールとして資源管理システム１の会員同士でグループを作成して、情報共有することが可能である。
【００１１】
《システムの構成》
図１は、本実施形態における資源管理システム１の概略構成を示す図である。
図１に示すように、本実施形態における資源管理システム１（データ管理システム）は、サーバ装置３ａ，３ｂ、ロードバランサ１１、関係データベース１２、単純記憶装置１３を含んで構成される。この資源管理システム１は、ロードバランサ１１とインターネット１９を介して端末２ａ，２ｂと通信可能に接続される。図１の端末２ａは、市区町村の公共機関の管理者２８１が操作する。端末２ｂは、介護サービスを受ける一般利用者２９（例えば、地域住民）が操作する。
インターネット１９には、各企業のサーバ装置３９が接続される。更に資源管理システム１の各サーバ装置３ａ，３ｂは、システム管理者２０の端末２ｄや企業の管理者２８１の端末２ｃと通信可能に接続される。
以下、各サーバ装置３ａ，３ｂを特に区別しないときには、単にサーバ装置３と記載する。各端末２ａ〜２ｄを特に区別しないときには、単に端末２と記載する。
【００１２】
サーバ装置３は、インターネット１９を介して接続された端末２に対して情報検索サービスを提供するためのＷｅｂサイトを開設する。本実施形態におけるサーバ装置３は、例えば地域における介護関連の情報を提供する地域包括ケア応援サイトを開設する。
この地域包括ケア応援サイトには、例えば、各地域において介護に関わる利用者をサポートするためのサービス提供元の情報（以下、地域資源情報と称する場合がある）や介護に関係する記事コンテンツを提供する機能が設けられる。この地域包括ケア応援サイトには更に、利用者間でのコミュニケーション（掲示板やスケジュール調整／アンケートなど）をサポートするための機能などが設けられる。ここで、サービス提供元とは、民間事業者または公共機関である。
【００１３】
また、このシステムの広義の利用者として、例えばケアマネージャ、ケアワーカ、ソーシャルワーカー、介護従事者、介護事業管理者（サービス事業者）、介護家族、要介護者、自治体関係者、団体関係者（ＮＰＯ、ボランティア）、医師、看護師、薬剤師、リハビリテーション、管理栄養士などが含まれる。なおＮＰＯ（Nonprofit Organization）とは、非営利団体を意味する。
【００１４】
サービス提供元の情報は、複数のカテゴリ別に分類されており、更に行政区分などに基づく地域別に分類されている。本実施形態のカテゴリは、「健康・生きがい」、「家事援助・付き添い・介助」、「介護者・認知症サポート」、「緊急通報・見守り・防災」、「配食・配送」、「移送・福祉用具」、「支給・助成金」、「相談窓口・その他」の８種類である。
ロードバランサ１１は、端末２の要求をサーバ装置３ａ，３ｂに適宜振り分ける。
【００１５】
関係データベース１２は、オンラインデータベースを格納するサーバ装置である。この関係データベース１２には、地域包括ケア応援サイトを通じて一般利用者２９に提供する地域資源情報が登録された一般公開地域資源１２１（第１のデータベースの一部）および一般公開介護保険サービス１２２（第１のデータベースの一部）と、一般利用者２９には公開せずに事業者が内部で管理する非公開地域資源１２３（第２のデータベース）と、事業者データベース１２４およびカテゴリ設定データベース１２５が格納される。なお、一般公開介護保険サービス１２２には、介護保険が適用される介護サービス情報が格納される。それに対して一般公開地域資源１２１には、介護保険が適用されない介護サービス情報が格納される。これら一般公開地域資源１２１、一般公開介護保険サービス１２２、非公開地域資源１２３には、所定の提供元事業者により提供される介護サービスの内容情報が、この提供元事業者を識別するための識別情報に対応付けられているとともに、所定の地域別およびカテゴリ別に分類されて記憶される。
【００１６】
非公開地域資源１２３（第２のデータベース）には、一般公開地域資源１２１や一般公開介護保険サービス１２２に格納された介護サービス情報のコピーや、新たに資源管理システム１に引き渡される介護サービス情報などが格納される。なお、資源管理システム１に引き渡された介護サービス情報は、一般公開地域資源１２１または一般公開介護保険サービス１２２に格納されて、所定期間に亘り公開される。
事業者データベース１２４は、この資源管理システム１に参加して、各種サービスなどを提供している事業者を管理するデータベースである。なお、図ではデータベースのことを、“ＤＢ”と省略記載している。
【００１７】
カテゴリ設定データベース１２５は、一般公開地域資源１２１と一般公開介護保険サービス１２２において分類しているカテゴリとは異なるカテゴリを設定するものである。非公開地域資源１２３は、各事業者によってカスタマイズされたカテゴリ設定データベース１２５のカテゴリに基づいて表示される。
単純記憶装置１３は、オンラインストレージのＷｅｂサービスを提供するサーバ装置である。この単純記憶装置１３には、Ｗｅｂサイトを構成する各種コンテンツが格納される。
【００１８】
サーバ装置３９は、各サービス提供元のホームページなどを開設するものである。サーバ装置３９に開設されたホームページには、サーバ装置３の地域包括ケア応援サイトにより検索されたサービス提供元の情報（地域資源情報）に含まれる、ホームページのＵＲＬ（uniform resource locator）とリンクが設定されている。従って、サーバ装置３の地域包括ケア応援サイトの検索結果からＵＲＬを指定することで、サーバ装置３９に開設されたホームページにアクセスすることができる。
【００１９】
端末２ａは、市区町村の管理者２８１が使用する。端末２ｂは、例えば地域住民である一般利用者２９が使用する。これら端末２ａ，２ｂは、インターネット１９を介して、サーバ装置３が開設する検索サイトや、サーバ装置３９が開設するサービス提供元のホームページなどにアクセスしてデータを送受信する。企業の管理者２８１の端末２ｃやシステム管理者２０の端末２ｄは、専用回線を介してサーバ装置３にアクセスする。これら端末２ａ〜２ｄは、例えばパーソナルコンピュータ、タブレット型コンピュータ、スマートフォン、携帯電話機、通信機能付きテレビ、カーナビゲーション装置、家庭用ゲーム装置などにより実現される。
インターネット１９は、コンピュータネットワークが相互に接続されて実現されたネットワークである。
【００２０】
図２は、サービス情報の共有関係を説明するための概念図である。
図１で説明したように、端末２を操作する操作者は、例えば、事業者２８ａと事業者２８ｂとでグループ２７を構成する。事業者２８ａと事業者２８ｂは、例えば本社であるグループ２７に属する支店である。しかし、これに限られず、例えば同一の行政地域に属する行政組織などであってもよい。また、事業者２８ｃは、グループ２７に属していない。システム管理者２０は、この資源管理システム１を管理するものであり、資源管理システム１のすべてにアクセス可能である。
【００２１】
本実施形態の資源管理システム１は、いずれのユーザＩＤでも一般公開地域資源１２１と一般公開介護保険サービス１２２を閲覧可能である。図２では、地域住民である一般利用者２９とグループ２７と事業者２８ｃから、一般公開地域資源１２１と一般公開介護保険サービス１２２の両方に片方向の矢印が引かれており、いずれのユーザＩＤでも閲覧可能であることを示している。これにより、グループ２７や事業者２８ｃは、一般利用者２９に、各種サービスの情報を提供することができる。以下、各事業者２８ａ〜２８ｃを区別しないときには、事業者２８と記載する。各事業者２８は、管理者２８１と一般会員２８２とを含んでいる。
【００２２】
一般公開地域資源１２１や一般公開介護保険サービス１２２（第１のデータベース）に格納された情報は、情報提供期間が終了すると消去される。しかし、各事業者２８にとっては、過去に提供したサービス情報を保存することは有意義である。また、過去に提供したサービスに関するトラブル情報など、有意義でありながらも事業者２８内で秘匿したい情報が存在する。非公開地域資源１２３（第２のデータベース）は、このような情報を保存しておくデータベースである。
【００２３】
非公開地域資源１２３ａは、非公開地域資源１２３のうち事業者２８ａが作成したものであり、事業者２８ａに属する管理者２８１によって閲覧と編集が可能である。更に事業者２８ａに属する一般会員２８２によって閲覧のみ可能である。管理者２８１は、非公開地域資源１２３ａの閲覧と編集を可能とするため、非公開地域資源１２３ａに対する管理者権限を有している。これに対して一般会員２８２は、非公開地域資源１２３ａに対する一般権限を有している。図２では、閲覧と編集が可能であることを双方向の矢印で示し、閲覧のみが可能であることを片方向の矢印で示している。同様に非公開地域資源１２３ｂは、非公開地域資源１２３のうち事業者２８ｂが作成したものであり、事業者２８ｂに属する管理者２８１によって閲覧と編集が可能である。更に事業者２８ｂに属する一般会員２８２によって閲覧のみ可能である。
【００２４】
非公開地域資源１２３ａは、事業者２８ｂに属する管理者２８１からは閲覧のみが可能である。図示していないが、非公開地域資源１２３ａは、一般会員２８２からも閲覧のみが可能である。同様に非公開地域資源１２３ｂは、事業者２８ａに属する管理者２８１や一般会員２８２からは閲覧のみが可能である。
非公開地域資源１２３ｃは、非公開地域資源１２３のうち事業者２８ｃが作成したものであり、事業者２８ｃに属する管理者２８１によって閲覧と編集が可能である。非公開地域資源１２３ｃは、グループ２７に属するユーザや、一般利用者２９からは閲覧できない。また同様に、グループ２７の非公開地域資源１２３ａ，１２３ｂは、事業者２８ｃに属する管理者２８１や一般会員２８２や、地域住民などの一般利用者２９からは閲覧できない。
このように、各事業所や各支社の単位でグループ登録を実施し、複数の事業所や各支社をグループ化できる。例えば、市役所の介護支援課とその地域の包括支援センタをグループ化すると、お互いの登録した情報が閲覧可能となる。このグループ化の操作は、システム管理者２０が不図示の管理画面によって行う。
【００２５】
また、資源管理システム１は、グループ２７に属するユーザＩＤで非公開地域資源１２３ａ，１２３ｂを閲覧可能としている。資源管理システム１は更に、事業者２８ａに属する管理者２８１によって非公開地域資源１２３ａを閲覧・編集を可能とし、事業者２８ｂに属する管理者２８１によって非公開地域資源１２３ｂを閲覧・編集を可能としている。つまり、一般の地域住民のユーザＩＤでは、一般公開地域資源１２１や一般公開介護保険サービス１２２にはアクセスできるが、非公開地域資源１２３ａ〜１２３ｃには、アクセスすることができない。
なお、図２では非公開地域資源１２３で説明したが、事業者データベース１２４とカテゴリ設定データベース１２５も同様に、事業者内でクローズされた情報共有が可能である。
【００２６】
本資源管理システム１は、有償で事業者にサービス情報公開機能を提供する。システム管理者２０は、図２５から図２９に示した一連の事業者管理画面で事業者種別「行政（役所、包括等）」「民間」「ボランティアセンタ」の種別を設定し、事業者情報を設定する。システム管理者２０は更に、不図示の事業者管理画面で、システム利用許可、無償サービス期間および使用開始日を設定する。無償期間が過ぎた場合、本資源管理システム１は、入力済みデータの閲覧と削除のみを可能とし、新たなデータの登録や既存データの編集は禁止する。
【００２７】
図３（ａ）は、本実施形態におけるサーバ装置３を示すブロック図である。図３（ａ）に示すように、サーバ装置３は、プロセッサ３１、メモリ３２、記憶装置３４、入力装置３３、表示装置３５、および通信装置３６とを含む。
【００２８】
プロセッサ３１は、サーバ装置３全体の制御を司る。プロセッサ３１は、記憶装置３４に記録された基本プログラムや単純記憶装置１３に記録された検索サイトプログラムを実行して、このサーバ装置３の各部を制御する。
【００２９】
メモリ３２は、基本プログラムや検索サイトプログラムを含む各種プログラム、各種データが一時的に格納される。記憶装置３４は、基本プログラムが記憶される。
【００３０】
入力装置３３は、キーボードやポインティングデバイスなどであり、サーバ装置３の管理者などによる操作に応じたデータを入力する。表示装置３５は、ＬＣＤ（Liquid Crystal Display）装置などであり、サーバ装置３の処理に応じた情報を表示する。通信装置３６は、外部との通信を制御する。
【００３１】
図３（ｂ）は、本実施形態における端末２の構成を示すブロック図である。図３（ｂ）に示すように、端末２は、プロセッサ２１、メモリ２２、記憶装置２４、入力装置２３、表示装置２５、および通信装置２６とを含む。
【００３２】
プロセッサ２１は、端末２全体の制御を司るもので、記憶装置２４に記憶された基本プログラムや各種アプリケーションプログラムを実行することで各部を制御するための回路である。プロセッサ２１は、ブラウザプログラムを実行することにより、サーバ装置３が提供する検索サイト（ページ）の画面を表示し、画面を通じて入力されたデータをサーバ装置３に送信する。
【００３３】
メモリ２２には、基本プログラムやブラウザプログラムを含む各種プログラム、各種データが一時的に格納される。記憶装置２４には、基本プログラムやブラウザプログラムに加えて、検索サイトを通じて受信した地域資源情報などが記憶される。
【００３４】
入力装置２３は、キーボードやポインティングデバイス（マウス、タッチパッド）などであり、端末２の利用者などによる操作に応じたデータを入力する。表示装置２５は、ＬＣＤ（Liquid Crystal Display）などであり、端末２の処理に応じた情報を表示する。通信装置２６は、インターネット１９に接続し、サーバ装置３やサーバ装置３９などとの通信を制御する。
【００３５】
次に、本実施形態におけるサーバ装置３の動作について説明する。サーバ装置３は、プロセッサ３１により検索サイトプログラムを実行することにより、以下に説明する各種処理を実現する。
【００３６】
まず、サーバ装置３が開設する検索サイトの画面について説明する。サーバ装置３は、端末２が検索サイトにアクセスすると、この検索サイトのデータを送信して端末２にＷｅｂページを表示させる。
【００３７】
《利用者の各端末からシステムを操作》
図４は、本実施形態におけるサーバ装置３が提供する地域包括ケア応援サイト（検索サイト）のホームページ例を示す図である。この地域包括ケア応援サイトは、一般公開地域資源を対象としていることを示すため、例えばオレンジ色のテーマカラーでデザインされている。
この地域包括ケア応援サイトは、サービス提供元（一般公開地域資源：民間事業者、公共機関）を検索するための一般公開地域資源検索サイトである。地域包括ケア応援サイトは、条件を指定して一般公開地域資源情報の候補を検索するための条件検索メニュー（キーワード検索、サービス種類（カテゴリ）検索、地域検索）と、利用者（ケアマネージャ等）指定の指定地域（事前登録）に絞り込んだ一般公開地域資源情報の候補（地図表示、リスト表示）とを選択的に表示することができる。
【００３８】
図４に示すホームページ画面４０には、例えばゲスト用のログインボタン４０１、メニュー４０２、新着の一般公開地域資源表示領域４０３、会員用のログインボタン４０５、新規登録ボタン４０６、キーワード検索テキストボックス４０７、カテゴリ検索ボタン４０８、一般公開地域検索領域４０９が設けられている。
【００３９】
ゲスト用のログインボタン４０１と新規登録ボタン４０６は、非会員（ゲスト）がログインの指示を入力するためのボタンである。ログインボタン４０１や新規登録ボタン４０６が、マウスなどの入力装置２３の操作により選択（マウスのクリック）された場合には、非会員が、新たに会員ＩＤであるメールアドレスとパスワードとを入力してアカウントを取得するための利用者登録画面（不図示）に遷移する。アカウント取得により、非会員は、この資源管理システム１の会員となることができる。なお、資源管理システム１に、事業者の会員として加入するには、事業者登録画面（不図示）に遷移して申し込みし、システム側の審査を受けることが必要である。
【００４０】
会員用のログインボタン４０５は、一般利用者２９・事業者２８の管理者２８１や一般会員２８２などの会員がログインの指示を入力するためのボタンである。ログインボタン４０５の上側のメールアドレス欄とパスワード欄とが入力された状態で、ログインボタン４０５がマウスなどの入力装置２３の操作により選択（マウスのクリック）された場合、ログインが実行される。事業者２８の管理者２８１や一般会員２８２などのログイン後は、ログインしたアカウントに紐付いた非公開地域資源１２３への閲覧権限や編集権限に基づき、サービス情報の共有画面５０（図２２参照）に遷移することができる。これに対して一般利用者２９は、ログイン後であってもサービス情報の共有画面５０（図２２参照）に遷移することができない。
【００４１】
メニュー４０２は、地域包括ケア応援サイトが提供する機能を選択するためのもので、例えば「ホーム」、「一般公開地域資源の詳細検索」、「おすすめ介護記事」、「投稿」、「グループツール」、「お問合せ」のメニュー項目が設けられている。メニュー４０２は、いずれの画面に遷移された場合でも常に表示されるメニューである。
「ホーム」は、このホームページの表示を指示するためのメニュー項目である。「一般公開地域資源の詳細検索」は、一般公開地域資源１２１と一般公開介護保険サービス１２２に対する検索条件を入力するための詳細検索条件指定画面４４（図１０参照）を表示させるためのメニュー項目である。以下、一般公開地域資源１２１と一般公開介護保険サービス１２２に格納された情報を、一般公開地域資源情報と記載する場合がある。
【００４２】
「おすすめ介護記事」は、おすすめの介護に関する情報の表示を指示するためのメニュー項目である。「投稿」は、一般公開地域資源に関するユーザの投稿ページ（不図示）に遷移するためのメニュー項目である。
「グループツール」は、複数の会員により構成されるグループに関する機能を指示するためのメニュー項目である。「グループツール」には、「掲示板」「会合調整＆選択確認」のサブメニューが設けられている。更に図７に示すログイン後には、この「グループツール」に「グループ管理」のサブメニューが追加される。「掲示板」「会合調整＆選択確認」「グループ管理」のサブメニューが指示された場合の処理の詳細については後述する。
【００４３】
新着の一般公開地域資源表示領域４０３は、新着の一般公開地域資源情報を表示するための領域であり、一定時間毎に表示内容が横方向にスクロールする。新着の一般公開地域資源表示領域４０３に表示される情報は、図７に示すログイン後には、会員が会員登録において指定した地域（登録地域）に該当する情報に絞り込まれる。
【００４４】
新規登録ボタン４０６は、新規の会員登録を指示するためのボタンである。新規登録ボタン４０６が選択（クリック）された場合には、会員登録用の画面に遷移する。
【００４５】
本実施形態における地域包括ケア応援サイトのホームページでは、一般公開地域資源１２１と一般公開介護保険サービス１２２を検索するために３種類の異なる機能、すなわちキーワード検索テキストボックス４０７、カテゴリ検索ボタン４０８、一般公開地域検索領域４０９が設けられている。
【００４６】
キーワード検索テキストボックス４０７は、入力されるテキストをキーワードとして一般公開地域資源情報を検索するためのものである。キーワード検索テキストボックス４０７には、例えば、キーワードとして、［港区、送迎、見守り］などの複数のキーワードを組み合わせて入力することができる。図４に示すログイン前は、全国の一般公開地域資源情報が検索対象となる。図７に示すログイン後は、登録地域内の一般公開地域資源情報が検索対象となる。
カテゴリ検索ボタン４０８は、８つのカテゴリで一般公開地域資源情報を検索するためのものである。カテゴリ検索ボタン４０８は、８つのカテゴリ「健康・生きがい」、「家事援助・付き添い・介助」、「介護者・認知症サポート」、「緊急通報・見守り・防災」、「配食・配送」、「移送・福祉用具」、「支給・助成金」、「相談窓口・その他」が一覧表示されている。図４に示す各カテゴリの表示には、そのカテゴリに含まれる一般公開地域資源情報の件数が表示されている。図７に示すログイン後には、登録地域内の一般公開地域資源情報の件数に更新される。カテゴリ検索ボタン４０８のうちいずれかのカテゴリを選択（クリック）した場合、そのカテゴリに含まれる一般公開地域資源情報が検索されて一覧表示される。
【００４７】
一般公開地域検索領域４０９は、日本地図と都道府県名のリストが表示されている。この一般公開地域検索領域４０９は、一般公開地域資源情報を地図から検索するためのものである。一般公開地域検索領域４０９の都道府県を選択することで、検索条件を指定するための画面が表示される。なお、一般公開地域検索領域４０９は、図７に示すログイン後は、登録地域の範囲内の地図（一般公開地域資源マップ）に表示形態が変更される。
【００４８】
このように、複数の異なる方法により一般公開地域資源情報を検索する条件を指定できるので、利用者は、状況に応じて条件の指定方法を任意に選択して必要とするサービス（一般公開地域資源情報）を容易に検索することができる。例えば、施設やサービスなどの名称に基づいて検索する、サービスの種類を特定して検索する、自宅から近い場所に制限して検索するなどの方法を選択することができる。
【００４９】
次に、地域包括ケア応援サイトを通じて会員登録する場合の処理について説明する。
サーバ装置３は、端末２において表示されたホームページにおいてゲスト用のログインボタン４０１や新規登録ボタン４０６がクリックされた場合、利用者の基本情報を入力するための会員登録用の画面データを端末２に送信する。会員登録用の画面（不図示）には、例えば会員登録しようとする利用者の個人情報（氏名、性別、生年月日、職種）の他、登録する会員ＩＤ（例えば電子メールアドレス）やパスワードを入力するための入力欄が設けられている。
【００５０】
また、会員登録用の画面では、利用者が希望する一般公開地域資源情報の検索対象とする地域を示す情報（場所情報）が入力される。地域としては、例えば、都道府県、市区町村の名前が入力されるものとする。通常、利用者がケアマネージャの場合には、担当する自治体の市区町村名が入力される。
更に会員登録用の画面では、介護業界に従事している利用者については、自身が属する事業者に関する情報（事業者番号、事業者名など）、介護者家族の場合には、要介護者についての個人情報（氏名、性別、生年月日、要介護度など）を入力することができる。これらの情報は、一般公開地域資源情報の検索において、情報の絞り込みに利用することができる。
【００５１】
更に会員登録用の画面からは、地域包括ケア応援サイトにより検索した一般公開地域資源情報を適用する対象者を登録することができる。例えば、利用者がケアマネージャの場合に、担当する介護者を対象者として登録しておくことができる。利用者は、対象者を登録しなくてもよいし、１人以上の対象者を任意に登録することができる。予め登録した対象者に対しては、例えば後述するクリップ機能により、検索処理により検索された一般公開地域資源情報を対応付けて登録させておくことができる。
【００５２】
また、事業者の場合には、会員登録用の画面（不図示）から、事業者登録用の画面に遷移し、事業者として会員登録する。事業者は、その事業所の住所と、その事業者に属する個々のメンバを会員登録する。事業者は、一部の限られたメンバを管理者２８１として登録し、それ以外のメンバを一般会員２８２として登録することができる。管理者２８１は、公開された介護サービス情報を非公開地域資源１２３に保存し、保存した介護サービス情報にコメントを付与できる。一般会員２８２は、非公開地域資源１２３に保存された介護サービス情報と、この介護サービス情報に付与されたコメントを閲覧可能である。
【００５３】
サーバ装置３は、会員登録用の画面を通じて入力されたデータを、記憶装置３４に会員データとして記録する。利用者は、会員登録を完了した後、ホームページのログインボタン４０１を選択することで地域包括ケア応援サイトの会員用サービスにログインすることができる。
【００５４】
次に、本実施形態のサーバ装置３による一般公開地域資源情報の検索処理について、図５および図６に示すフローチャートを参照しながら説明する。
サーバ装置３は、端末２によりアクセスされると、図４に示すホームページ画面４０を表示させる（ステップＳ１０）。サーバ装置３は、このホームページ画面４０においてメールアドレスとパスワードが入力され、ログインボタン４０５が端末２の利用者の操作により選択されると、ログイン要求を受信する。このメールアドレスとパスワードにより会員登録された利用者のアカウントであることが確認できると、サーバ装置３は、端末２の利用者からのログイン要求を受諾する（ステップＳ１１→Ｙｅｓ）。なお、ステップＳ１１でＮｏの場合はステップＳ１０に戻る。次に、サーバ装置３は、ログインしたアカウントに応じて、ホームページ画面４０の表示を変更するための処理をする（ステップＳ１２〜Ｓ１５）。
図５および図６では、一般公開地域資源情報の検索について記載している。よって、ここでは、一般利用者２９のアカウントでログインすることを前提に説明している。
【００５５】
まず、サーバ装置３は、ログインを要求した利用者が会員登録時に入力した基本情報を関係データベース１２から取得し（ステップＳ１２）、基本情報に含まれる場所情報に基づいて、各カテゴリについて一般公開地域資源情報を絞り込む。すなわち、サーバ装置３は、一般公開地域資源１２１と一般公開介護保険サービス１２２に登録された全国の一般公開地域資源情報から場所情報に該当する地域の一般公開地域資源情報のみをカテゴリ毎に抽出する（ステップＳ１３）。以下、絞り込まれた一般公開地域資源情報のことを、単に一般公開地域資源情報の候補と記載する。
【００５６】
また、サーバ装置３は、利用者の場所情報に基づいて抽出された一般公開地域資源情報の候補に該当する位置を示すための地図情報を設定する。すなわち、サーバ装置３は、利用者が基本情報として登録した場所情報が含まれる地図をホームページ画面４０ａに表示することができる地図の縮尺を設定する（ステップＳ１４）。なお、後述する詳細検索条件の設定において、場所情報が追加、または複数の場所情報が選択された場合には、選択された場所情報がすべて含まれるように、この地図の縮尺を設定する。
【００５７】
サーバ装置３は、ログイン前のカテゴリ検索ボタン４０８に表示された各カテゴリに含まれる一般公開地域資源情報の件数を、場所情報に基づいて絞り込んだ一般公開地域資源情報候補の数に更新する。サーバ装置３は、図７に示すホームページ画面４０ａを端末２に表示させる（ステップＳ１５）。図７のホームページ画面４０ａでは、一般公開地域検索領域４０９に代えて、一般公開地域資源情報候補に該当する位置を示す地図を含む一般公開地域資源マップ領域４０９ａを表示する。
すなわち、サーバ装置３は、利用者のログオン時に、利用者の場所情報に基づいて絞り込まれた一般公開地域資源情報候補に基づいて、カテゴリ検索ボタン４０８を更新し、一般公開地域資源マップ領域４０９ａを表示する。そのため、その後の検索処理において絞り込まれた一般公開地域資源情報候補を対象とすることができ、利用者が必要とする一般公開地域資源情報の検索を容易にすることができる。
【００５８】
図７は、本実施形態におけるログイン後のホームページ画面４０ａを示す図である。
図７に示すように、カテゴリ検索ボタン４０８には、各カテゴリの一般公開地域資源情報の数を示す数字が更新されている。また、図４に示した一般公開地域検索領域４０９に代えて、一般公開地域資源マップ領域４０９ａが表示されている。
一般公開地域資源マップ領域４０９ａには、利用者の場所情報に応じた地図が表示され、この地図の一般公開地域資源情報に該当する位置にはピンマークが付されている。一般公開地域資源情報に該当する位置とは、例えば、サービスを提供する施設の住所のことをいう。更に一般公開地域資源マップ領域４０９ａをマウスオーバすると、地図内でピンマークが付された各一般公開地域資源情報（例えば、施設名称）の一覧がピンマークとともに表示される。
【００５９】
地図中に付されるピンマークは、例えば、カテゴリ毎に色分けして表示され、カテゴリ（サービスの種類）が容易に識別可能にしている。また、ピンマークは、後述するクリップ機能によりクリップ対象として指定された一般公開地域資源情報については、他の一般公開地域資源情報と異なる色が用いられる。これにより、利用者は、一般公開地域資源マップ領域４０９ａから利用者が必要とする一般公開地域資源情報を容易に検索できる。
【００６０】
再び図５に戻って説明する。図７のホームページ画面４０ａにてサーバ装置３は、ユーザ操作を判定して多重分岐する（ステップＳ１６）。
ここで、キーワード検索テキストボックス４０７において、キーワードが入力されて検索実行が指示されると（ステップＳ１６→キーワード）、サーバ装置３は、場所情報に基づいて絞り込まれた一般公開地域資源情報の候補からキーワードに該当する一般公開地域資源情報を抽出する（ステップＳ１７）。サーバ装置３は更に、抽出した一般公開地域資源情報を一般公開地域資源情報一覧画面４２ａ（図８参照）に一覧表示させる（図６のステップＳ２３）。
【００６１】
図８は、本実施形態における一般公開地域資源情報一覧画面４２ａの一例を示す図である。図８は、例えば図７に示すカテゴリ検索ボタン４０８のカテゴリ「健康・生きがい」が選択された場合の一般公開地域資源情報一覧画面４２ａを示している。一般公開地域資源情報一覧画面４２ａには、このカテゴリに含まれる各一般公開地域資源情報候補の情報リスト４２１が表示される。情報リスト４２１には、サービスイメージ（アイコン、シンボル、マークなど）、サービス名、提供元（会社名、単体名、役所名など）、サービスの有償／無償の表示、クリップ数、役立数が一覧表示される。なお、クリップ数は、後述する一般公開地域資源情報の詳細画面４６（図１２参照）において、他の会員が一般公開地域資源情報に対してクリップした数を集計したものである。役立数は、一般公開地域資源情報の詳細画面４６において（図１２参照）、他の会員が一般公開地域資源情報に対して役に立った選択をした数を集計したものである。
また、一般公開地域資源情報一覧画面４２ａには、表示方法を切り替える表示形態切換ボタン４２２、および詳細検索条件の設定を指示するための検索条件再設定ボタン４２３が設けられている。
【００６２】
図５に戻り、図７のホームページ画面４０ａにおいてカテゴリ検索ボタン４０８が選択された場合（ステップＳ１６→カテゴリ）、サーバ装置３は、選択されたカテゴリに該当する一般公開地域資源情報を抽出する（ステップＳ１８）。サーバ装置３は更に、抽出した一般公開地域資源情報を一般公開地域資源情報一覧画面４２ａ（図８参照）に一覧表示させる（図６のステップＳ２３）。
【００６３】
図７のホームページ画面４０ａにおいて一般公開地域資源マップ領域４０９ａの地図または一覧に対する操作がされた場合（ステップＳ１６→地図操作）、サーバ装置３は、地図操作に応じた処理を実行し（ステップＳ１９）、図７のホームページ画面４０ａの表示を継続する（ステップＳ１５）。地図に対する操作としては、例えば、地図の拡大縮小の操作、拡大縮小された地図を最初に表示された地図に戻す表示リセット操作がある。サーバ装置３は、拡大縮小の操作に応じて、地図の縮尺倍率を変更して表示すると共に、拡大縮小された地図に合わせて一般公開地域資源情報に対応するピンマークを表示する。
【００６４】
また、地図に表示されたピンマーク、または一覧表示されたピンマークが選択された場合、サーバ装置３は、ピンマークに対応する一般公開地域資源情報の一部、例えば一般公開地域資源情報に含まれる施設名、サービス種類（カテゴリ）、住所とともに、一般公開地域資源情報の詳細情報を表示させるためのリンクボタンをポップアップ表示させる。ポップアップ表示中のリンクボタンが選択された場合、サーバ装置３は、後述する一般公開地域資源情報の詳細画面４６を表示させる（図１２参照）。
【００６５】
なお、図７に示すホームページ画面４０ａには、詳細検索条件の設定を指示する一般公開地域資源の詳細検索ボタン４１０が設けられている。サーバ装置３は、一般公開地域資源の詳細検索ボタン４１０が選択された場合（ステップＳ１６→詳細検索）、詳細検索条件指定画面４４（図１０、図１１参照）を端末２に表示させる（ステップＳ２０）。
【００６６】
図１０は、本実施形態における詳細検索条件指定画面４４の一例を示す図である。
この詳細検索条件指定画面４４は、一般公開地域資源１２１および一般公開介護保険サービス１２２から一般公開地域資源情報を検索する条件を指定する画面である。詳細検索条件指定画面４４には、場所情報を選択する場所情報チェックボックス４４１、エリアの変更を指示するエリア変更ボタン４４２、キーワードを入力するキーワード検索テキストボックス４４３、カテゴリ毎の詳細な選択肢を入力するカテゴリ詳細チェックボックス４４４が設けられている。詳細検索条件指定画面４４には更に、検索対象とする一般公開地域資源情報が登録された期間を指定する期間指定ボタン４４５、サービスの有償／無償の条件を指定する費用条件選択ボタン４４６、検索対象とする一般公開地域資源情報を提供する提供元を指定する提供元指定ボタン４４７が設けられている。また、詳細検索条件指定画面４４の最下位置には、選択した条件（チェックボックスにチェックを入れた選択肢）を取り消すための条件クリアボタン４４８、検索の実行を指示するための検索ボタン４４９が設けられている。
【００６７】
なお、詳細検索条件指定画面４４は、その時点で利用者により指定された条件が設定された状態で表示される。例えば、場所情報チェックボックス４４１では、利用者が登録した場所情報（図１０では「港区」）にチェックが入り、カテゴリ詳細チェックボックス４４４のカテゴリ「健康・生きがい」にチェックが入っている。詳細検索条件指定画面４４では、先に設定済みの条件の取り消しや、条件の追加／変更を任意に行うことができる。また、エリア変更ボタン４４２が選択された場合、サーバ装置３は、図７に示す一般公開地域資源マップ領域４０９ａと同様の画面を表示させ、任意に地域（場所情報）を選択させることができる。
【００６８】
なお、詳細検索条件指定画面４４の全体が表示装置２５の画面中に表示できない場合、サーバ装置３は、図１１に示すように、条件クリアボタン４４８および検索ボタン４４９が表示されない範囲を表示中には、条件クリアボタン４４８および検索ボタン４４９と同等の機能を有する条件クリアボタン４４８ａおよび検索ボタン４４９ａを、例えば画面の最下位置に一時的に表示させる。なお、条件クリアボタン４４８ａおよび検索ボタン４４９ａは、画面の最下位置に限らず、画面中の予め決められた固定位置に表示されるようにすればよい。
【００６９】
詳細検索条件指定画面４４には、条件クリアボタン４４８および検索ボタン４４９の組み合わせと、条件クリアボタン４４８ａおよび検索ボタン４４９ａの組み合わせのうちいずれかが表示されている。よって、利用者は、詳細検索条件指定画面４４のスクロール位置によらず、条件クリアまたは検索実行を指示することができ、操作性が向上する。
【００７０】
なお、詳細検索条件指定画面４４の条件クリアボタン４４８と検索ボタン４４９に限らず、他の画面の表示中においても、画面中に表示されないボタンがある場合には、同等の機能を有するボタンを一時的に画面下部に表示させることができる。例えば、図７に示す
ホームページ画面４０ａの一般公開地域資源の詳細検索ボタン４１０や、図８に示す一般公開地域資源情報一覧画面４２ａの検索条件再設定ボタン４２３などである。これにより、各画面において操作性の向上を図ることができる。
【００７１】
再び図５に戻って処理を説明する。ここで、詳細検索条件指定画面４４において任意に条件指定が入力された後、検索ボタン４４９（検索ボタン４４９ａ）の押下により検索実行が指示されると（ステップＳ２１）、サーバ装置３は、新たに設定された検索条件に該当する一般公開地域資源情報の候補を検索する（ステップＳ２２）。更にサーバ装置３は、該当する一般公開地域資源情報の候補を含む一般公開地域資源情報一覧画面４２ａを表示させる（図６のステップＳ２３）。
【００７２】
以下、図６を参照しつつ説明する。この一般公開地域資源情報一覧画面４２ａ（図８参照）が表示された後、サーバ装置３は、ユーザ操作を判定して多重分岐する（ステップＳ２４）。
一般公開地域資源情報一覧画面４２ａにて表示形態切換ボタン４２２の「マップ」が選択された場合（ステップＳ２４→マップ）、サーバ装置３は、図８に示した情報リスト４２１の表示に代えて、図９に示す一般公開地域資源マップ領域４２５に変更し、一般公開地域資源情報一覧画面４２ｂを表示する（ステップＳ２５）。その後、サーバ装置３は、ユーザ操作を判定して多重分岐する（ステップＳ２６）。図９に示す一般公開地域資源マップ領域４２５は、右側のリストが常に表示されている他は、図７に示した一般公開地域資源マップ領域４０９ｂの表示と同様である。
図９に示す一般公開地域資源情報一覧画面４２ｂには、図８に示す一般公開地域資源情報一覧画面４２ａと同様に表示形態切換ボタン４２２が設けられている。表示形態切換ボタン４２２の「リスト」が選択された場合（ステップＳ２６→リスト）、図８に示した一般公開地域資源情報一覧画面４２ａの表示に戻る（ステップＳ２３）。すなわち、表示形態切換ボタン４２２の操作により、情報リスト４２１の表示と一般公開地域資源マップ領域４２５の表示とを簡単に切り換えることができるので、利用者は、一般公開地域資源情報を選択しやすい所望の表示形態を選択することができる。よって、必要とする一般公開地域資源情報の検索を容易にすることができる。
【００７３】
また、図８と図９に示したように、一般公開地域資源情報一覧画面４２ａ，４２ｂには、詳細検索条件の再設定を指示する検索条件再設定ボタン４２３が設けられている。ステップＳ２４，Ｓ２６において検索条件再設定ボタン４２３が選択された場合、サーバ装置３は、図５のステップＳ２０に戻り、図１０に示した詳細検索条件指定画面４４を再表示させる。
【００７４】
また、ステップＳ２４，Ｓ２６において、一般公開地域資源情報一覧画面４２ａ，４２ｂが示す一般公開地域資源情報のうちいずれかが選択された場合、サーバ装置３は、選択された一般公開地域資源情報の詳細を表示する一般公開地域資源情報の詳細画面４６（図１２参照）を表示させる（ステップＳ２７）。その後、サーバ装置３は、ユーザ操作を判定して多重分岐する（ステップＳ２８）
【００７５】
図１２は、本実施形態のステップＳ２７においてサーバ装置３が端末２に表示させる一般公開地域資源情報の詳細画面４６の一例を示す図である。一般公開地域資源情報の詳細画面４６には、例えば一般公開地域資源情報に含まれるサービス名称、サービス概要、サービス説明ＨＰ（HomePage）、対象エリア、サービス提供場所、対象者、有償／無償、料金目安、申し込み方法、問合せ先情報（住所、電話番号、ＦＡＸ番号、電子メールアドレス）などを含む基本情報エリア４６１、クリップボタン４６２、役に立ったボタン４６３、サービス提供元情報（名称、住所など）とサービス提供元ＨＰとを含むサービス提供元情報エリア４６４、「一つ前のページに戻る」ボタン４６５が設けられている。
【００７６】
一般公開地域資源情報の詳細画面４６に表示されたサービス説明ＨＰやサービス提供元ＨＰを選択することで、端末２のブラウザプログラムは、一般公開地域資源情報が示すサービス説明やサービス提供元のＷｅｂサイトのページを表示させる。そのため、利用者は、一般公開地域資源情報の詳細画面４６を通じて、容易にサービス提供元が公開している詳細な情報を取得することができる。
【００７７】
こうして、サーバ装置３は、条件指定により検索された一般公開地域資源情報の詳細を示す一般公開地域資源情報の詳細画面４６を、端末２に表示させている。これにより利用者は、一般公開地域資源情報の詳細な内容を確認することができる。ここで、利用者は、一般公開地域資源情報を確認した結果、例えば有用な情報であると判断した場合に、一般公開地域資源情報をクリップボタン４６２の操作により登録して、後から容易に読み出せるようにすることができる。
【００７８】
再び図６に戻って説明する。サーバ装置３は、一般公開地域資源情報の詳細画面４６（図１２参照）においてクリップボタン４６２が選択された場合（ステップＳ２８→クリップ）、クリップ機能により、詳細表示中の一般公開地域資源情報を利用者と対応付けて登録し（ステップＳ２９）、一般公開地域資源情報の詳細画面４６の表示を継続する（ステップＳ２７）。
また、一般公開地域資源情報の詳細画面４６において役に立ったボタン４６３が選択された場合（ステップＳ２８→役に立った）、サーバ装置３は、役に立った選択がされたことを示すデータを詳細表示中の一般公開地域資源情報と対応付けて登録し（ステップＳ３０）、一般公開地域資源情報の詳細画面４６の表示を継続する（ステップＳ２７）。
【００７９】
サーバ装置３は、利用者と対応付けられた一般公開地域資源情報については、図７に示す一般公開地域資源マップ領域４０９ａや、図９に示す一般公開地域資源マップ領域４２５において、クリップされたことを明示するため、他の一般公開地域資源情報とは異なる色のピンマークを表示させる。
【００８０】
また、サーバ装置３は、各一般公開地域資源情報について、クリップボタン４６２および役に立ったボタン４６３が操作された数をカウントしており、そのカウント数を例えば図８に示す情報リスト４２１のクリップ数、役立数にそれぞれ反映させ、図１２に示す一般公開地域資源情報の詳細画面４６において表示させている。これにより、他の利用者に対して、個々の一般公開地域資源情報についての評価状況を知らせることができる。すなわち、利用者は、クリップボタン４６２および役に立ったボタン４６３の操作により、有用な情報であることを他の利用者に通知可能である。
なお、一般公開地域資源情報の詳細画面４６において「一つ前のページに戻る」ボタン４６５が選択された場合（ステップＳ２８→一つ前のページに戻る）、サーバ装置３は、該当する一般公開地域資源情報の候補を含む一般公開地域資源情報一覧画面４２ａを表示させる（ステップＳ２３）。
【００８１】
なお、前述した説明では、クリップボタン４６２の操作により一般公開地域資源情報を利用者と対応付けて登録するとしているが、会員登録時に予め登録した対象者と対応付けて登録しておき、対象者毎に登録した一般公開地域資源情報を表示させることも可能である。
【００８２】
図１３は、本実施形態における対象者毎に一般公開地域資源情報を対応付けて登録する処理を説明するためのフローチャートである。
サーバ装置３は、クリップボタン４６２が選択された場合（ステップＳ４０→Ｙｅｓ）、一般公開地域資源情報の詳細画面４６に表示中の一般公開地域資源情報を関連付ける対象者を判別する（ステップＳ４１）。例えば、サーバ装置３は、図１４に示すように、クリップボタン４６２の近傍に、一般公開地域資源情報の登録先を示す登録先一覧４６６を表示させる。登録先一覧４６６には、例えば自分のみ（利用者を示す）、対象者全員、登録済みの対象者＃１〜＃５が一覧表示されている。なお、ここでは５名の対象者が登録されている。
利用者による入力装置２３の操作により、登録先一覧４６６からいずれかが選択された場合、サーバ装置３は、この選択された登録先と詳細表示中の一般公開地域資源情報とを対応付けて登録する。対象者全員が選択された場合には、全ての対象者＃１〜＃５のそれぞれと対応付けて記録する（ステップＳ４２）。
【００８３】
図１５は、本実施形態における対象者と登録された一般公開地域資源情報（クリップデータ）との関係を示す図である。例えば、対象者＃１については、クリップデータ＃１，＃３，＃４が対応付けられていることを示している。対象者＃２については、クリップデータ＃１，＃４が対応付けられていることを示している。すなわち、本実施形態におけるクリップ機能では、利用者が検索した有用と判断された一般公開地域資源情報を、複数の対象者に対して個々に対応付けて登録しておくことができる。例えば、利用者がケアマネージャであり、担当する介護者（対象者）が複数いる場合に、介護者毎に有用な一般公開地域資源情報を判断して、介護者別に一般公開地域資源情報を登録しておくことができる。
【００８４】
図１６は、本実施形態におけるクリップされた一般公開地域資源情報を表示するための処理を説明するためのフローチャートである。
サーバ装置３は、利用者の操作によりクリップされた一般公開地域資源情報の表示が指示された場合に（ステップＳ５０→Ｙｅｓ）、クリップデータ（クリップにより登録された一般公開地域資源情報）を一覧表示させる（ステップＳ５１）。利用者が図７のホームページ画面４０ａのメニュー４０２ａの「マイページ」にマウスオーバすると、サーバ装置３は、図１７に示すマイページ画像４８を端末２にポップアップ表示させる。マイページ画像４８には、例えばユーザ基本情報ボタン４８１、クリップした一般公開地域資源ボタン４８２、クリップした記事ボタン４８３、一般公開地域資源のユーザ投稿ボタン４８４が設けられている。
【００８５】
ここで、利用者による入力装置２３の操作により、クリップした一般公開地域資源ボタン４８２が選択された場合、サーバ装置３は、図１８に示すマイページ詳細画面４９を表示させる。
【００８６】
図１８は、本実施形態におけるマイページ詳細画面４９の一例を示す図である。図１８に示すマイページ詳細画面４９では、クリップした一般公開地域資源ボタン４８２が選択された場合の表示例を示している。マイページ詳細画面４９には、表示対象を変更するためのタブ４９１が設けられている。タブ４９１は、「ユーザ基本情報」、「クリップした一般公開地域資源」、「クリップした記事」、「一般公開地域資源のユーザ投稿」の４つが選択可能であり、ここでは「クリップした一般公開地域資源」が選択されている。また、クリップした一般公開地域資源を表示するための画面において、対象者名表示領域４９２、一般公開地域資源情報一覧４９３が設けられている。対象者名表示領域４９２では、ボタン操作により、登録先一覧４６６に表示された対象者を一覧表示させて、いずれかを任意に選択することができる。
【００８７】
一般公開地域資源情報一覧４９３には、初期状態として、利用者と対応付けられた一般公開地域資源情報が一覧表示されている。一覧表示では、例えば情報更新日、サービス名称、サービス提供元名称、有償／無償、クリップ数の各情報が一般公開地域資源情報毎に対応付けて表示されている。
【００８８】
図１６に戻って処理を説明する。ここで、図１８の対象者名表示領域４９２の操作によりいずれかの対象者が選択された場合（ステップＳ５２→Ｙｅｓ）、サーバ装置３は、選択された対象者と対応付けられた一般公開地域資源情報のみを一覧表示させる（ステップＳ５３）。従って、利用者は、対象者毎に登録した地域資源情報を、対象者を簡単に切り替えてそれぞれ一覧表示させて確認することができる。
【００８９】
なお、図１７に示すマイページ画像４８においてユーザ基本情報ボタン４８１が選択された場合、マイページ詳細画面４９にはユーザの基本情報が表示され、タブ４９１は「ユーザ基本情報」が選択された状態となる。
マイページ画像４８においてクリップした記事ボタン４８３が選択された場合、マイページ詳細画面４９にはユーザがクリップした記事が一覧表示され、タブ４９１は「クリップした記事」が選択された状態となる。
マイページ画像４８において一般公開地域資源のユーザ投稿ボタン４８４が選択された場合、マイページ詳細画面４９には一般公開地域資源のユーザ投稿が一覧表示され、タブ４９１は「一般公開地域資源のユーザ投稿」が選択された状態となる。
【００９０】
前述した説明では、クリップボタン４６２の操作があった場合に登録先一覧４６６を表示させて、一般公開地域資源情報を対応付ける対象者を選択するようにしているが、例えば検索処理をする際に、予め対象者を選択しておくようにしてもよい。この場合には、その後に、検索処理によって検索した一般公開地域資源情報を表示する一般公開地域資源情報の詳細画面４６においてクリップボタン４６２を選択した場合に、詳細表示中の一般公開地域資源情報を先に選択した対象者と対応付けて登録する。このように、予め対象者を選択しておくことで、例えば１人の対象者について、まとめて複数の一般公開地域資源情報を検索して登録する場合に、一般公開地域資源情報をクリップする度に対象者を選択しなくてもよく、操作性を向上することができる。
【００９１】
なお、前述した説明では、一般公開地域資源情報をクリップする場合について説明しているが、メニュー４０２の「おすすめ介護記事」のメニュー項目を選択することで表示可能な情報についても、同様にしてクリップすることができる。「記事コンテンツ」や「セミナー」からクリップされた情報についても、前述した一般公開地域資源情報と同様にして対象者と対応付けて登録し、クリップした記事ボタン４８３の操作により一覧表示させることが可能である。
【００９２】
また、ユーザ基本情報ボタン４８１を選択することで、利用者が会員登録時に入力した情報を一覧表示させることができる。ここで、登録内容を編集することができ、場所情報の変更や対象者の追加／削除をすることができる。ここで登録内容を変更することで、その後にホームページ画面４０ａを表示する際には、変更後の情報に基づいて絞り込まれた一般公開地域資源情報に基づいてカテゴリ検索ボタン４０８や一般公開地域資源マップ領域４０９ａが表示される。
【００９３】
なお、前述した説明では、図７に示すホームページ画面４０ａのカテゴリ検索ボタン４０８においてカテゴリが選択された場合には、カテゴリに含まれる一般公開地域資源情報を一覧表示しているが、一般公開地域資源マップ領域４０９ａにおける表示と連携させることもできる。例えば、カテゴリ検索ボタン４０８からいずれかのカテゴリが選択された場合に、一般公開地域資源マップ領域４０９ａの地図と一覧において、選択された仮に対応するピンマークのみを表示するようにしても良い。また、一般公開地域資源マップ領域４０９ａにおいて、いずれかのピンマークが選択された場合に、このピンマークに該当するカテゴリに含まれる一般公開地域資源情報を一覧表示させることも可能である。
【００９４】
このようにして、本実施形態では、サーバ装置３により、ログイン後には、利用者が予め指定した場所情報に基づいて絞り込んだ一般公開地域資源情報候補を対象として、カテゴリ検索ボタン４０８と一般公開地域資源マップ領域４０９ａとが表示される。これにより利用者は、カテゴリ別に分類された一般公開地域資源情報、または一般公開地域資源情報に該当する位置にピンマークが付された地図を組み合わせて、必要に応じて検索方法を選択しながら、容易に必要とする一般公開地域資源情報を検索することが可能となる。
【００９５】
《事業者に属する管理者やシステム管理者の端末からシステムを操作》
事業者２８に属する管理者２８１やシステム管理者２０（図２参照）は、各端末２から資源管理システム１のサービス情報共有ページを操作することにより、新たな事業者を設定し、または事業者の設定を変更することができる。この事業者の設定情報は、図２で示したように、一般利用者２９や他の事業者２８には非公開である。また、事業者２８に属する一般会員２８２は、この事業者の設定情報について閲覧のみ可能である。
図２２に示したサービス情報の共有画面５０と、ここから遷移する画面は、非公開地域資源を対象としていることを示すため、青色のテーマカラーでデザインされている。サービス情報共有ページは、自社メンバだけで共有するサービス情報を蓄積する機能、包括センタ・事業者内でクローズされた情報を共有する機能、および、第１のデータベースとデータ連携する機能を有している。
資源管理システム１は、自社メンバだけで共有するサービス情報を蓄積する機能として、事業者が独自の事業者向けのデータベースを作成することを支援する。具体的には、サービス提供元である事業者の登録機能と、カテゴリを独自に指定できるカテゴリ登録機能と、サービス情報の登録機能である。
地域のサービス情報を蓄積することにより、地域に点在する把握していないサービス情報を収集し、独自にカテゴライズできる。その情報は、地域住民の方々に提供をする等で活用できる。更に、自社メンバだけの情報蓄積により、各メンバ独自のサービス事業者情報や評価をクローズに作成・登録できる。その情報や評価を知識やノウハウとして共有することで、メンバ間のスキルを平準化することができる。
更に資源管理システム１は、各事業者・各支社単位で事業者登録を実施し、その複数事業者を１つのグループとして登録可能である。例えば、市役所の介護保険課と、複数の地域包括センタを１つのグループとして登録可能である。これにより、図２に示したように事業者グループ内で登録したサービス情報を共有できる。
資源管理システム１は、第１のデータベースとデータ連携する機能として、公開されている第１のデータベースの資源情報をクリップして、事業者のサービス情報共有ページにデータをコピーしてデータベース構築が可能な機能と、事業者向けのデータベース内の情報を第１のデータベースに引き渡す機能を有している。以下、この事業者設定について説明する。
【００９６】
図１９は、事業者データベース１２４の各項目を示す図である。
事業者とは、資源管理システム１を介して介護サービス情報を利用者に提供する者をいう。事業者データベース１２４の各項目は、事業者が自身を識別可能とするために資源管理システム１に登録する情報である。
【００９７】
管理番号は、この事業者に係る管理番号を示している。名前は、この事業者の名前を示している。名前フリガナは、この事業者の名前をカタカナで示している。
ステータスは、この事業者の情報を利用者に公開するか、または未公開とするかを示している。事業者番号は、この事業者を識別する番号を示している。ホームページＵＲＬ（Uniform Resource Locator）は、この事業者のホームページのＵＲＬを示している。住所は、この事業者の住所情報を示している。説明は、この事業者に関する説明を示している。電話番号は、この事業者の連絡先の電話番号を示している。優先度は、この事業者の現在の優先度を示している。ＦＡＸ番号は、この事業者の連絡先のファックス番号を示している。E-mailアドレスは、この事業者に係る主な管理者の電子メールアドレスを示している。メイン管理者は、この事業者に係る主な管理者の名前を示している。
【００９８】
利用許可設定は、利用許可が未設定・申請中・利用許可が設定済みのうちいずれかを示している。事業者種別は、この事業者が行政・民間・ボランティアのうちいずれかを示している。利用開始日は、この事業者が利用を開始した年月日を示している。無料期間は、この事業者がシステムを無料で使用できる期間を月単位で示している。
【００９９】
図２０は、グループに含まれる事業者を示す模式図である。
資源管理システム１は、地域包括センタや民間事業者向けのサービスであり、契約した事業者のグループ内で登録したサービス情報を共有可能としている。資源管理システム１は、ＣＭＳ（Content management system）に事業者グループを作成し、事業者管理に登録されている事業者でグループを構成する。例えば図２０では、△△△ケアサービスＡＡ店、△△△ケアサービスＢＢ店、△△△ケアサービスＣＣ店により、△△△ケアサービスのグループを構成している。グループを設定できるのは、資源管理システム１を管理するシステム管理者２０（図１参照）である。
このようにグループを設定することにより、グループに属する事業者２８は、同一のグループに属する他の事業者２８が管理する非公開地域資源１２３のサービス情報にアクセスできる。但し事業者２８は、他の事業者２８が管理する非公開地域資源１２３のサービス情報の編集や削除はできない。
【０１００】
図２１は、事業者設定に係る各画面への概略の遷移図である。
資源管理システム１は、モードＭ５０のサービス情報の共有画面５０（図２２参照）から、モードＭ６１，Ｍ７１，Ｍ８１，Ｍ９１などに遷移する。なお、この遷移図は概略であり、上位階層への遷移を省略している。モードＭ５０のサービス情報の共有画面５０（図２２参照）が表示されるのは、事業者２８（図２参照）に属する管理者２８１と一般会員２８２、およびシステム管理者２０の端末２である。
【０１０１】
モードＭ６１は、事業者一覧画面６１（図２５参照）を表示するモードである。資源管理システム１は、モードＭ６１において編集が選択されたら、モードＭ６３の事業者修正更新画面６３（図２８参照）に遷移し、詳細が選択されたらモードＭ６２の事業者詳細画面６２（図２７参照）に遷移し、新規登録が選択されたらモードＭ６４の事業者新規登録画面６４（図２９参照）に遷移する。更に資源管理システム１は、モードＭ６２において編集が選択されたら、モードＭ６３の事業者修正更新画面６３（図２８参照）に遷移する。
【０１０２】
モードＭ７１は、カテゴリ設定一覧画面７１（図３０参照）を表示するモードである。資源管理システム１は、モードＭ７１において編集が選択されたら、モードＭ７３の大分類・小分類修正更新画面７３（図３３参照）に遷移し、詳細が選択されたらモードＭ７２のカテゴリ詳細画面７２（図３２参照）に遷移し、新規登録が選択されたらモードＭ７４の大分類・小分類新規登録画面７４（図３４参照）に遷移する。更に資源管理システム１は、モードＭ７２において編集が選択されたら、モードＭ７３の大分類・小分類修正更新画面７３（図３３参照）に遷移する。
【０１０３】
モードＭ８１は、サービス情報一覧画面８１（図３５参照）を表示するモードである。資源管理システム１は、モードＭ８１において詳細が選択されたらモードＭ８２のサービス情報詳細画面８２（図３７参照）に遷移し、新規登録が選択されたらモードＭ８８のサービス情報新規登録画面８８（図４２参照）に遷移する。資源管理システム１は、モードＭ８１において一覧印刷が選択されたらモードＭ８６のサービス一覧印刷画面８６（図４７参照）に遷移し、詳細検索が選択されたらモードＭ８４のサービス情報検索画面８４（図４６参照）に遷移する。資源管理システム１は、モードＭ８６において印刷が選択されたらモードＭ８７の印刷項目設定画面８７（図４８参照）に遷移し、更に印刷が選択されたならばサービス情報の一覧を印刷する。
【０１０４】
更に資源管理システム１は、モードＭ８２においてデータ削除が選択されたらモードＭ８２１のデータ削除を実行し、コメント登録が選択されたらモードＭ８９のコメント登録画面８９（図３９参照）に遷移し、引渡が選択されたらモードＭ８５のシステム引渡登録画面８５（図４４参照）に遷移する。資源管理システム１は、モードＭ８２において詳細印刷が選択されたらサービス情報の詳細印刷を実行する。
【０１０５】
モードＭ９１は、システム掲載情報一覧画面９１（図４９参照）を表示するモードである。資源管理システム１は、モードＭ９１において詳細が選択されたらモードＭ９２のシステム掲載情報詳細画面９２（図５１参照）に遷移し、新規登録が選択されたらモードＭ９４のシステム掲載情報新規登録画面９４（図５４参照）に遷移する。更に資源管理システム１は、モードＭ９２において編集が選択されたら、モードＭ９３のシステム掲載情報修正更新画面９３（図５３参照）に遷移する。
【０１０６】
図２２は、サービス情報の共有画面５０の一例を示す図である。
サービス情報の共有画面５０は、検索条件再設定ボタン５０１、サービス情報一覧５０２、表示件数メニュー５０３を含み、更に新規登録ボタン５０４、一覧印刷ボタン５０５、ページ移動ボタン５０６を含んでいる。
検索条件再設定ボタン５０１は、サービス情報一覧５０２に表示される情報の検索条件を再設定するものである。この検索条件再設定ボタン５０１のクリックにより、不図示の検索条件再設定画面に遷移する。サービス情報一覧５０２は、サービス情報を表形式で一覧表示したものであり、番号欄と、更新日欄と、サービス名称欄と、サービス提供元名欄と、カテゴリ欄と、評価欄と、「システムへ提供済」欄とを含んで構成される。
【０１０７】
番号欄は、各サービス情報に振られた追番を示している。更新日欄は、各サービス情報が更新された日時を示している。サービス名称欄は、各サービスの名称を示している。サービス提供元名欄は、各サービスの提供元（事業者）の名前を示している。カテゴリ欄は、各サービスに付与されたカテゴリを示している。カテゴリ欄は、各サービスに対して会員が付与した評価を示している。「システムへ提供済」欄は、各サービスが、資源管理システム１に対して提供済みであるか否かを示している。表示件数メニュー５０３は、サービス情報一覧５０２を同時表示する件数を選択するためのメニューである。
新規登録ボタン５０４は、新規にサービスを登録するためのボタンである。一覧印刷ボタン５０５は、サービス情報一覧５０２を印刷するためのボタンである。ページ移動ボタン５０６は、サービス情報一覧５０２の表示ページを移動するためのボタンである。
【０１０８】
図２３は、サービス情報の共有画面５０の申し込み前におけるメニューを示す図である。
サービス情報の共有画面５０は、非公開地域資源１２３に格納されたサービス情報の共有の他、事業者２８に係る情報を管理する各画面に遷移するトップページである。サービス情報の共有画面５０は、「自社サービス投稿」メニュー５１、「自社広告の申し込み」メニュー５２、「サービス情報の共有ページ」メニュー５３、「自社情報基本設定」メニュー５４、「お問合せ」メニュー５５、「トップページ」メニュー５６を含んでいる。
「自社サービス投稿」メニュー５１は、「一般公開地域資源投稿」サブメニュー、「一般公開介護保険サービス投稿」サブメニューを含んでいる。サービス情報の共有画面５０のデフォルトは、「一般公開地域資源投稿」サブメニューである。
【０１０９】
「自社広告の申し込み」メニュー５２は、「求人広告の申し込み」サブメニュー、「Ｗｅｂ広告の申し込み」サブメニューを含んでいる。
「サービス情報の共有ページ」メニュー５３は、「サービス情報共有ページとは」サブメニュー、「利用申し込み」サブメニューを含んでいる。この「利用申し込み」サブメニューは、事業者のうち管理者権限を有する者のみが選択可能であり、一般権限を有する者は選択不可である。事業者のうち一般権限を有する者が、この「利用申し込み」サブメニューを選択した際、操作不可である旨のメッセージが表示される。
【０１１０】
「一般公開地域資源投稿」、「一般公開介護保険サービス投稿」、「求人広告の申し込み」、「ＷＥＢ広告の申し込み」の各機能について、管理者権限を有する者は、一覧表示および登録が可能である。これに対して一般権限を有する者は、一覧表示のみが可能であり、登録は不可である。一般権限を有する者が、「一般公開地域資源投稿」、「一般公開介護保険サービス投稿」、「求人広告の申し込み」、「ＷＥＢ広告の申し込み」の各サブメニューを選択した際、選択不可である旨のメッセージが表示される。
【０１１１】
「自社サービス投稿」メニュー５１にて、「一般公開地域資源投稿」サブメニューが選択されると一般公開地域資源一覧画面が表示され、「一般公開介護保険サービス投稿」サブメニューが選択されると、不図示の「一般公開介護保険サービス投稿一覧」画面が表示される。
「自社広告の申し込み」メニュー５２にて、「求人広告の申し込み」サブメニューが選択されると、不図示の「求人広告の申し込み一覧」画面が表示され、「ＷＥＢ広告の申し込み」サブメニューが選択されると、不図示の「ＷＥＢ広告の申し込み一覧」画面が表示される。
【０１１２】
「サービス情報の共有ページ」メニュー５３にて、「サービス情報共有ページとは」サブメニューが選択されると、サービス情報共有ページの説明画面（不図示）が表示され、「利用申し込み」サブメニューが選択されると、不図示の「利用申し込み」画面が表示される。
【０１１３】
「自社情報基本設定」メニュー５４が選択されると、「事業者基本設定」の詳細ページが表示される。「お問合せ」メニュー５５が選択されると、「お問合せ」ページが表示される。「トップページ」メニュー５６が選択されると、サイトのトップページが表示される。
【０１１４】
図２４は、サービス情報の共有画面５０の申し込み後におけるメニューを示す図である。
事業者管理ページは、「一般公開地域資源投稿」のサービス情報一覧ページをトップページのデフォルトに表示する。
「一般公開地域資源投稿」、「一般公開介護保険サービス投稿」、「求人広告の申し込み」、「ＷＥＢ広告の申し込み」の各機能について、サービス情報の共有ページの申し込み前と同様に、管理者権限を有する者は、一覧表示および登録が可能である。これに対して一般権限を有する者は、一覧表示のみが可能であり、登録は不可である。一般権限を有する者が、「一般公開地域資源投稿」、「一般公開介護保険サービス投稿」、「求人広告の申し込み」、「ＷＥＢ広告の申し込み」の各サブメニューを選択した際、選択不可である旨のメッセージが表示される。
【０１１５】
「自社サービス投稿」メニュー５１に含まれるサブメニューと機能は、「サービス情報共有ページ」の申し込み前と同様である。「自社広告の申し込み」メニュー５２に含まれるサブメニューと機能は、「サービス情報共有ページ」の申し込み前と同様である。
「サービス情報の共有ページ」メニュー５３にて、「サービス情報一覧」サブメニューが選択されると、モードＭ８１のサービス情報一覧画面８１（図３５参照）を表示し、「サービス情報新規登録」サブメニューが選択されると、モードＭ８８のサービス情報新規登録画面８８（図４２参照）を表示する。更に「サービス提供元一覧」サブメニューが選択されると、モードＭ６１の事業者一覧画面６１（図２５参照）を表示し、「カテゴリ設定」サブメニューが選択されると、モードＭ７１のカテゴリ一覧画面を表示し、「システム提供一覧」サブメニューが選択されると、モードＭ９１のシステム掲載情報一覧画面９１（図４９参照）を表示する。
「自社情報基本設定」メニュー５４と、「お問合せ」メニュー５５と、「トップページ」メニュー５６とは、「サービス情報共有ページ」の申し込み前と同様な画面に遷移する。
【０１１６】
《事業者情報に関する操作》
以下の図２５から図２９を参照して、事業者情報に関する操作を説明する。ここでの操作により、事業者データベース１２４（図１参照）に対する処理が行われる。
図２５は、事業者一覧画面６１の一例を示す図である。
この事業者一覧画面６１は、事業者２８に係る情報を管理するためのトップページである。事業者一覧画面６１には、上側にホームメニュー６０１、サービス情報管理メニュー６０２、「自社のシステム登録」メニュー６０３、マイページメニュー６０４が表示される。更に事業者一覧画面６１には、新規登録ボタン６１０、検索テキストボックス６１１と絞り込みボタン６１２、項目コンボボックス６１３と表示順コンボボックス６１４と「並べ替え」ボタン６１５、事業者一覧６１６が表示される。事業者一覧６１６の各行には、詳細ボタン６１７、編集ボタン６１８、削除ボタン６１９が表示される。
新規登録ボタン６１０がクリックされると、モードＭ６４の事業者新規登録画面６４（図２９参照）に遷移する。絞り込みボタン６１２がクリックされると、検索テキストボックス６１１に入力されたキーワード（入力文字列）で事業者データベース１２４（図１参照）が絞り込まれ、その検索結果が事業者一覧６１６に表示される。
【０１１７】
「並べ替え」ボタン６１５は、事業者一覧６１６において、項目コンボボックス６１３で指定した「更新日」または「サービス情報件数」を、表示順コンボボックス６１４で指定した「昇順」「降順」で並び替えるボタンである。
詳細ボタン６１７は、モードＭ６２の事業者詳細画面６２（図２７参照）を表示するボタンである。編集ボタン６１８は、モードＭ６３の事業者更新登録画面を表示するボタンである。削除ボタン６１９は、この事業者情報を削除するボタンである。
【０１１８】
事業者一覧６１６は、番号、事業者情報の作成または更新の日時を示す更新日、事業者の名称を示すサービス提供元名、サービス提供件数を一覧表示する。なお、サービス提供件数には、事業者に紐付けられているサービス情報の件数が表示される。
なお、編集ボタン６１８および削除ボタン６１９は、表示中の事業者情報の編集権限を有する場合に限り表示される。表示中の事業者情報の編集権限を有する者は、システム管理者２０と、表示中の事業者情報を作成したメインの管理者２８１である。
【０１１９】
図２６は、事業者一覧画面６１からの遷移を示す図である。
資源管理システム１は、事業者一覧画面６１（図２５参照）を表示するモードＭ６１において編集ボタン６１８が選択されたら、事業者修正更新画面６３（図２８参照）を表示するモードＭ６３に遷移し、詳細ボタン６１７が選択されたら事業者詳細画面６２（図２７参照）を表示するモードＭ６２に遷移し、新規登録ボタン６１０が選択されたら事業者新規登録画面６４（図２９参照）を表示するモードＭ６４に遷移する。更に資源管理システム１は、モードＭ６２において編集が選択されたら、事業者修正更新画面６３（図２８参照）を表示するモードＭ６３に遷移する。
【０１２０】
資源管理システム１は、事業者新規登録画面６４（図２９参照）を表示するモードＭ６４において更新または「戻る」が選択されたならば、事業者一覧画面６１を表示するモードＭ６１に遷移する。資源管理システム１は、事業者修正更新画面６３（図２８参照）を表示するモードＭ６３において更新または「戻る」が選択されたならば、事業者詳細画面６２（図２７参照）を表示するモードＭ６２に遷移し、更に「戻る」が選択されたならば、事業者一覧画面６１を表示するモードＭ６１に遷移する。
【０１２１】
図２７は、事業者詳細画面６２の一例を示す図である。
この事業者詳細画面６２は、事業者２８に係る詳細情報を表示するための画面である。事業者詳細画面６２には、詳細情報一覧６２１と、「戻る」ボタン６２２、編集ボタン６２３、削除ボタン６２４が表示される。詳細情報一覧６２１には、この事業者の名称を示す名称欄および名称フリガナ欄、管理上付与される事業者番号欄、この事業者に係る住所欄、電話番号欄、ＦＡＸ番号欄、E-mailアドレス欄、代表者欄が表示される。詳細情報一覧６２１には更に、メモ欄、作成日時欄、更新日時欄が表示される。なおサービス情報欄は、この事業者に紐つけされているサービス情報の件数を表示するものである。
【０１２２】
「戻る」ボタン６２２は、モードＭ６１の事業者一覧画面６１に遷移するボタンである。編集ボタン６２３は、モードＭ６３の事業者修正更新画面６３（図２８参照）に遷移するボタンである。削除ボタン６２４は、表示中の事業者情報を削除するボタンである。
なお、編集ボタン６２３および削除ボタン６２４は、表示中の事業者情報の編集権限を有する場合に限り表示される。表示中の事業者情報の編集権限を有する者は、システム管理者２０と、表示中の事業者情報を作成したメインの管理者２８１である。それ以外の会員の端末２には、編集ボタン６２３および削除ボタン６２４は表示されない。
【０１２３】
図２８は、事業者修正更新画面６３の一例を示す図である。
この事業者修正更新画面６３は、事業者２８に係る情報を修正して事業者データベース１２４に反映させるための画面である。事業者修正更新画面６３には、詳細情報入力一覧６３１と、「戻る」ボタン６３２、更新ボタン６３３、削除ボタン６３４が表示される。
「戻る」ボタン６３２は、現在の事業者修正更新画面６３を表示する前に表示していた事業者詳細画面６２に遷移するボタンである。更新ボタン６３３は、事業者データベース１２４に格納された事業者情報を更新したのち、モードＭ６２の事業者詳細画面６２に遷移するボタンである。削除ボタン６３４は、表示中の事業者情報を事業者データベース１２４から削除するボタンである。
【０１２４】
詳細情報入力一覧６３１は、名称テキストボックス６５１、名称フリガナテキストボックス６５２、事業者番号テキストボックス６５３、都道府県コンボボックス６５４、市区町村コンボボックス６５５、町名番地テキストボックス６５７、建物・部屋番号テキストボックス６５８、電話番号テキストボックス６５９、ＦＡＸ番号テキストボックス６６０を含み、更にE-mailアドレステキストボックス６６１、代表者テキストボックス６６２、メモテキストボックス６６３を含んで構成される。
名称テキストボックス６５１と名称フリガナテキストボックス６５２には、事業者の名称が入力される。事業者番号テキストボックス６５３にも、事業者に係る管理番号がテキストで入力される。
【０１２５】
事業者の住所は、都道府県コンボボックス６５４と市区町村コンボボックス６５５とが選択されて、所望の市区町村が入力される。更に町名番地テキストボックス６５７と建物・部屋番号テキストボックス６５８に、それぞれ詳細な町名・番地と建物・部屋番号がテキストで入力される。
【０１２６】
電話番号テキストボックス６５９には、事業者の連絡先電話番号がテキスト入力される。ＦＡＸ番号テキストボックス６６０には、事業者の連絡先のＦＡＸ番号がテキストで入力される。電話番号やＦＡＸ番号の表記形式の記号として、括弧“（）”やハイフン“−”が入力可能である。E-mailアドレステキストボックス６６１には、事業者の連絡先の電子メールアドレスがテキストで入力される。
【０１２７】
代表者テキストボックス６６２には、事業者の代表者の名称がテキストで入力される。メモテキストボックス６６３には、この事業者に係るメモがテキストで入力される。メモテキストボックス６６３には、複数行のテキストが入力可能である。
【０１２８】
図２９は、事業者新規登録画面６４の一例を示す図である。
この事業者修正更新画面６３は、事業者２８に係る情報を新たに作成して、事業者データベース１２４に登録するための画面である。事業者新規登録画面６４には、詳細情報入力一覧６４１と、「戻る」ボタン６４２、登録ボタン６４３が表示される。
詳細情報入力一覧６４１は、図２８に示した詳細情報入力一覧６３１と同様に構成されている。
「戻る」ボタン６４２は、詳細情報入力一覧６４１の各データを破棄してモードＭ６１の事業者一覧画面６１に戻る（遷移する）ボタンである。登録ボタン６４３は、詳細情報入力一覧６４１の各データを事業者データベース１２４に登録するボタンである。
【０１２９】
《カテゴリ設定に関する操作》
以下の図３０から図３４を参照して、カテゴリ設定に関する操作を説明する。この操作は、資源管理システム１が提供するカテゴリとは異なるカテゴリを、ユーザが定義する処理である。ここで設定されたカテゴリは、非公開地域資源１２３の情報を事業者内で表示する際に用いられる。このようにカテゴリ内容を独自に設定することにより、自社内でのデータの視認性や検索性を向上することができる。
【０１３０】
図３０は、カテゴリ設定一覧画面７１の一例を示す図である。
このカテゴリ設定一覧画面７１は、事業者２８のメインの管理者２８１が作成したカテゴリ設定を一覧形式で表示する画面である。カテゴリ設定一覧画面７１は、新規作成ボタン７１１と、カテゴリ設定一覧７１２とが表示されている。このカテゴリ設定一覧７１２の各行には、詳細ボタン７１３、編集ボタン７１４、削除ボタン７１５が表示される。
新規作成ボタン７１１は、モードＭ７４に示す大分類・小分類新規登録画面７４（図３４参照）に遷移するボタンである。なお、事業者２８のメインの管理者２８１以外の一般会員２８２の端末２には、この新規作成ボタン７１１は表示されない。
カテゴリ設定一覧７１２は、番号欄、管理番号欄、表示名称欄、表示優先度欄、テーマカラー欄、サービス分類欄、サービス情報件数欄が表示される。サービス情報件数欄には、このサービス分類に紐づいているサービス情報の数が表示される。それ以外の欄は、カテゴリ一覧と同じ項目が表示される。
詳細ボタン７１３は、モードＭ７２のカテゴリ詳細画面７２（図３２参照）に遷移するボタンである。編集ボタン７１４は、モードＭ７３の大分類・小分類修正更新画面７３（図３３参照）に遷移するボタンである。削除ボタン７１５は、対応するサービス分類情報を削除するボタンである。
なお、編集ボタン７１４および削除ボタン７１５は、表示中のサービス分類情報の編集権限を有する場合に限り表示される。表示中のサービス分類情報の編集権限を有する者は、システム管理者２０と、表示中のサービス分類情報を作成した管理者２８１である。それ以外の会員の端末２には、編集ボタン７１４および削除ボタン７１５は表示されない。
【０１３１】
図３１は、カテゴリ設定一覧画面７１からの遷移を示す図である。
資源管理システム１は、カテゴリ設定一覧画面７１を表示するモードＭ７１において編集ボタン７１４が選択されたら、大分類・小分類修正更新画面７３（図３３参照）を表示するモードＭ７３に遷移し、詳細ボタン７１３が選択されたらカテゴリ詳細画面７２（図３２参照）を表示するモードＭ７２に遷移し、新規作成ボタン７１１が選択されたら大分類・小分類新規登録画面７４（図３４参照）を表示するモードＭ７４に遷移する。更に資源管理システム１は、モードＭ７２において編集ボタン７２３が選択されたら、大分類・小分類修正更新画面７３（図３３参照）を表示するモードＭ７３に遷移する。
【０１３２】
資源管理システム１は、大分類・小分類新規登録画面７４（図３４参照）を表示するモードＭ７４において更新または「戻る」が選択されたならば、カテゴリ設定一覧画面７１を表示するモードＭ７１に遷移する。資源管理システム１は、大分類・小分類修正更新画面７３（図３３参照）を表示するモードＭ７３において更新が選択されたならば、カテゴリ設定詳細画面を表示するモードＭ７２に遷移し、更に「戻る」が選択されたならば、カテゴリ設定一覧画面７１を表示するモードＭ７１に遷移する。資源管理システム１は、大分類・小分類修正更新画面７３（図３３参照）を表示するモードＭ７３において「キャンセル」が選択されたならば、モードＭ７３の直前のモードに戻る。
【０１３３】
図３２は、カテゴリ詳細画面７２の一例を示す図である。
このカテゴリ詳細画面７２は、ユーザが作成したカテゴリ設定を表示する画面である。カテゴリ詳細画面７２には、カテゴリ詳細７２１、「戻る」ボタン７２２、編集ボタン７２３、削除ボタン７２４が表示される。カテゴリ詳細７２１は、管理番号欄、表示名称欄、表示優先度欄、テーマカラー欄、サービス分類欄、更新日欄、投稿日欄を含んでいる。
【０１３４】
「戻る」ボタン７２２は、モードＭ７１のカテゴリ設定一覧画面７１に遷移するボタンである。編集ボタン７２３は、モードＭ７３の大分類・小分類修正更新画面７３（図３３参照）に遷移する。削除ボタン７２４は、表示中のサービス分類情報を削除するボタンである。
なお、編集ボタン７２３および削除ボタン７２４は、表示中のサービス分類情報の編集権限を有する場合に限り表示される。表示中のサービス分類情報の編集権限を有する者は、システム管理者２０と、表示中のサービス分類情報を作成した管理者２８１である。それ以外の会員の端末２には、編集ボタン７２３および削除ボタン７２４は表示されない。
【０１３５】
図３３は、大分類・小分類修正更新画面７３の一例を示す図である。
この大分類・小分類修正更新画面７３は、ユーザが定義した大分類や小分類の設定を修正する画面である。これにより、一般公開地域資源１２１や一般公開介護保険サービス１２２から非公開地域資源１２３へのサービス情報の複製が指示された際に、複製元でのカテゴリとは異なるカテゴリを選択可能に表示させることができる。更に複製元での大分類とは異なる大分類や、複製元での大分類とは異なる大分類に基づいた小分類として選択可能に表示させることができる。
大分類・小分類修正更新画面７３には、カテゴリ詳細入力７３１、キャンセルボタン７３２、更新ボタン７３３が表示される。カテゴリ詳細入力７３１は、表示名称テキストボックス７５１、テーマカラーコンボボックス７５２、表示優先度スピンボタン７５３、サービス分類表示名称コンボボックス７５４、サービス分類表示優先度スピンボタン７５５、サービス分類削除ボタン７５６、サービス分類追加ボタン７５７を含んで構成される。
表示名称テキストボックス７５１には、このサービス分類の表示名称がテキストで入力される。
【０１３６】
テーマカラーコンボボックス７５２には、このサービス分類のテーマカラーが表示され、右端をクリックすると、選択可能なテーマカラーがメニュー表示される。表示優先度スピンボタン７５３は、このサービス分類の表示優先度がテキストで入力される。
サービス分類表示名称コンボボックス７５４には、このサービス分類の表示名称がメニュー表示される。サービス分類表示優先度スピンボタン７５５には、このサービス分類の表示優先度が表示され、右端の上下ボタンにより、値を加減することができる。
【０１３７】
サービス分類削除ボタン７５６は、選択したサービス分類を削除するボタンである。サービス分類追加ボタン７５７は、新たにサービス分類を追加するボタンである。
キャンセルボタン７３２は、カテゴリ詳細入力７３１を破棄し、現在の画面を表示する前に表示していた画面に遷移するボタンである。
更新ボタン７３３は、カテゴリ詳細入力７３１の内容で、このサービス情報を更新するボタンである。更新ボタン７３３の押下後、モードＭ７２のカテゴリ設定更新画面に遷移する。
【０１３８】
図３４は、大分類・小分類新規登録画面７４の一例を示す図である。
この大分類・小分類新規登録画面７４は、ユーザが新たに大分類や小分類の設定を定義して、カテゴリ設定データベース１２５（図１参照）に登録する画面である。大分類・小分類新規登録画面７４には、カテゴリ詳細入力７４１、「戻る」ボタン７４２、登録ボタン７４３が表示される。カテゴリ詳細入力７４１は、図３３に示したカテゴリ詳細入力７３１と同様に構成されている。
「戻る」ボタン７４２は、カテゴリ詳細入力７４１を破棄して、現在の画面を表示する前に表示していたカテゴリ設定一覧画面７１に遷移するボタンである。
登録ボタン７４３は、カテゴリ詳細入力７４１の内容で、このサービス情報を登録するボタンである。登録ボタン７４３の押下後、モードＭ７１のカテゴリ設定一覧画面７１に遷移する。
【０１３９】
《サービス情報に関する操作》
以下の図３５から図４８を参照して、サービス情報に関する操作を説明する。ここでサービス情報とは、非公開地域資源１２３に格納された介護サービス情報のことをいう。このように、自社内で様々なサービス情報を独自に登録する事が出来る。更に、その情報に対して評価を付けることが出来る為、自社メンバに好評なサービスを一目で把握することができる。更に外部には公表出来ない情報を自社だけのクローズされたメンバだけでコメント登録する事で、メンバ間での情報共有が可能である。
図３５は、サービス情報一覧画面８１の一例を示す図である。
このサービス情報一覧画面８１は、非公開地域資源１２３に格納され、かつアクセス権限を有するサービス情報を一覧形式で表示する画面である。サービス情報一覧画面８１には、上側にホームメニュー６０１、サービス情報管理メニュー６０２、「自社のシステム登録」メニュー６０３、マイページメニュー６０４が表示される。更にサービス情報一覧画面８１には、検索条件再設定ボタン８１１、地域包括センタ情報ドロップダウンリスト８１２、サービス情報一覧８１３、新規登録ボタン８１４、一覧印刷ボタン８１５が表示される。
【０１４０】
サービス情報一覧８１３には、非公開地域資源１２３のサービス情報を検索した結果が一覧表示される。この検索の初期条件は「すべて」であり、この場合、非公開地域資源１２３に格納され、かつアクセス権限を有するすべてのサービス情報が一覧表示される。サービス情報一覧８１３が単一のＷｅｂページに表示可能な件数は、「２０件」「５０件」「１００件」のうちいずれかが選択可能である。サービス情報一覧８１３は、番号項目、更新日項目、サービス名項目、サービス提供元名項目、カテゴリ項目、評価項目、システム提供済項目を含んで構成される。更にサービス名項目には、詳細情報へのハイパーリンクが張られている。
【０１４１】
更新日項目には、このサービス情報の登録または更新時の年月日が表示される。
サービス名項目には、このサービス情報の名称が表示される。
サービス提供元名項目には、このサービスの提供元の事業者名等が表示される。
カテゴリ項目には、詳細情報に登録されているカテゴリが表示される。
評価項目には、サービス情報の評価の平均値が表示される。なお、評価が登録されていない場合、評価項目は表示されない。
システム提供済項目は、管理しているサービス情報が資源管理システム１に提供されている場合、丸印が表示される。
【０１４２】
検索条件再設定ボタン８１１は、モードＭ８４のサービス情報検索画面８４（図４６参照）に遷移するボタンである。新規登録ボタン８１４は、新規登録画面を表示するボタンである。一覧印刷ボタン８１５は、モードＭ８６のサービス一覧印刷画面８６（図４７参照）を表示するボタンである。なお、新規登録ボタン８１４は、事業者２８のメインの管理者２８１の端末２とシステム管理者２０の端末２に限り表示される。
【０１４３】
図３６は、サービス情報一覧画面８１からの遷移を示す図である。
資源管理システム１は、サービス情報一覧画面８１を表示するモードＭ８１において、サービス名のハイパーリンクが選択されたらサービス情報詳細画面８２（図３７参照）を表示するモードＭ８２に遷移し、新規登録が選択されたらサービス情報新規登録画面８８（図４２参照）を表示するモードＭ８８に遷移し、編集が選択されたらサービス情報修正更新画面８３（図４０と図４１参照）を表示するモードＭ８３に遷移する。
資源管理システム１は、モードＭ８２にて「戻る」が選択されるとモードＭ８１に戻り、モードＭ８８にて「登録」または「戻る」が選択されるとモードＭ８１に戻る。
資源管理システム１は、モードＭ８８において「クリップからコピー」が選択されると、クリップ一覧画面８０を表示するモードＭ８０に遷移し、「コピー」が選択されるとクリップ情報をコピーしてモードＭ８８に戻る。資源管理システム１は、モードＭ８８において「登録」または「戻る」が選択されるとモードＭ８１に戻る。
【０１４４】
資源管理システム１は、モードＭ８１において検索条件再設定ボタン８１１が選択されたらサービス情報検索画面８４（図４６参照）を表示するモードＭ８４に遷移し、モードＭ８４において検索が選択されると、指定された検索を実行してモードＭ８１に戻る。
資源管理システム１は、モードＭ８１において一覧印刷ボタン８１５が選択されたらサービス一覧印刷画面８６（図４７参照）を表示するモードＭ８６に遷移し、モードＭ８６において「戻る」が選択されたらモードＭ８１に戻る。更に資源管理システム１は、モードＭ８６において「印刷」が選択されたら印刷項目設定画面８７（図４８参照）を表示するモードＭ８７に遷移し、モードＭ８７において「戻る」が選択されるとモードＭ８６に戻る。
【０１４５】
資源管理システム１は、モードＭ８２においてコメント登録が選択されたらコメント登録画面８９（図３９参照）を表示するモードＭ８９に遷移し、基本情報タブ８２１または「投稿する」ボタン８９３が選択されるとモードＭ８２に戻る。資源管理システム１は、モードＭ８２において「システムへ提供」ボタン８２８が選択されたらシステム引渡登録画面８５（図４４参照）を表示するモードＭ８５に遷移し、「システムに登録」または「戻る」が選択されるとモードＭ８２に戻る。
資源管理システム１は、モードＭ８３において「更新」が選択されるとモードＭ８２に戻り、モードＭ８２において「戻る」が選択されるとモードＭ８１に戻る。
【０１４６】
図３７と図３８とは、サービス情報詳細画面８２（基本情報タブ８２１）の一例を示す図である。
このサービス情報詳細画面８２は、非公開地域資源１２３のサービス情報の詳細を表示する画面である。サービス情報詳細画面８２には、サービス名を示す「配食サービス」と、サービス提供元名称を示す「□□フーズ」と、カテゴリ、情報更新日が表示される。サービス情報詳細画面８２には、更に総合評価および評価ラジオボタン８２０と、サービス情報詳細８２３を含む基本情報タブ８２１と、コメントタブ８２２とが表示されている。総合評価には、各メンバの評価がリアルタイムに反映され、それらの平均値と各評価の評価数と表示される。評価ラジオボタン８２０は、「非常に良い（５）」「良い（４）」「どちらでもない（３）」「悪い（２）」「非常に悪い（１）」から選択可能である。
【０１４７】
基本情報タブ８２１とコメントタブ８２２とは、切り替え表示が可能であり、ここでは基本情報タブ８２１に切り替えられている。ここでコメントタブ８２２をクリックすると、図３９に示すコメント登録画面８９（図３９参照）に遷移する。
サービス情報詳細８２３は、図３７に示すように、サービス提供元名称欄、サービス提供元ＨＰ欄、サービス提供元情報欄、サービス名称欄、事業者区分欄、サービス分類欄、画像ファイルのアップロード欄、サービス説明ＨＰ欄、対象エリア欄、サービス提供場所欄、開催日時欄を含んでいる。サービス情報詳細８２３は更に、図３８に示すように、サービス概要欄、有償無償欄、料金目安欄、対象者欄、申し込み方法欄、お問合せ情報欄、申し込み方法欄を含んでいる。
【０１４８】
サービス提供元ＨＰ欄は、サービス提供元（事業者情報）の詳細画面を表示するためのハイパーリンクを含んでいる。サービス説明ＨＰ欄は、サービスの説明画面を表示するためのハイパーリンクを含んでいる。対象エリア欄とサービス提供場所欄は、ホームページ画面４０の一般公開地域検索領域４０９（図４参照）と同じように、地図を含んだ表示形式で表示される。お問合せ情報欄は、問合せ先名称、電話番号、携帯番号、ＦＡＸ番号、メールアドレスを含んでいる。
【０１４９】
編集ボタン８２４は、モードＭ８３のサービス情報修正更新画面８３（図４０と図４１参照）に遷移し、このサービス情報を編集可能とするボタンである。印刷ボタン８２５は、このサービス情報を印刷するボタンである。削除ボタン８２６は、このサービス情報をデータベースから削除するボタンである。「戻る」ボタン８２７は、モードＭ８１のサービス情報一覧画面８１に戻るためのボタンである。
なお、編集ボタン８２４および削除ボタン８２６は、表示中のサービス情報の編集権限を有する場合に限り表示される。表示中のサービス情報の編集権限を有する者は、システム管理者２０と、表示中のサービス情報を作成したメインの管理者２８１である。それ以外の会員の端末２には、編集ボタン８２４および削除ボタン８２６は表示されない。
【０１５０】
図３９は、コメント登録画面８９の一例を示す図である。
このコメント登録画面８９は、非公開地域資源１２３のサービス情報にコメントを付与する画面である。サービス情報のコメントには、顧客のクレームや外注業者のネガティブ情報など、機密性の高い情報があるため、このように非公開のデータベースに格納している。コメント登録画面８９には、サービス名を示す「配食サービス」と、サービス提供元名称を示す□□フーズと、カテゴリ、更新日が表示される。コメント登録画面８９には、更に総合評価および評価ラジオボタン８２０と、サービス情報詳細８２３を含む基本情報タブ８２１と、コメントタブ８２２とが表示されている。
コメントタブ８２２には、コメント表示欄８９１、コメント入力欄８９２、「投稿する」ボタン８９３が表示される。このコメント表示欄８９１は、投稿者名および投稿日時、評価、ならびに投稿者によるコメントが一覧表示されている。
【０１５１】
投稿者名は、ユーザ基本情報の氏名が登録されていればその氏名であり、ユーザ基本情報の氏名が未登録ならばシステムＩＤ（メールアドレスまたはユーザ名）である。各投稿者は、サービス提供元に属した状態でコメントを投稿する。しかし、いずれかの投稿者がコメントの投稿後にサービス提供元のメンバから外れた場合、投稿者名は非表示となる。更にメンバから外れた投稿者が、ユーザ基本情報のＩＤ（メールアドレス）を変更した場合、第三者にコメント情報は表示されなくなる。更に、投稿者がシステムから退会した場合、投稿者名は非表示となる。これにより、投稿者のプライバシーを保つことができる。
【０１５２】
投稿日時は、投稿時の時刻である。
評価は、投稿時に選択された項目の文字列である。
投稿者によるコメントは、複数行に亘ってテキストを表示可能である。
コメント入力欄８９２は、複数行のテキストを入力可能である。「投稿する」ボタン８９３は、コメント入力欄８９２に入力されたテキストを投稿するためのボタンである。
【０１５３】
図４０と図４１とは、サービス情報修正更新画面８３の一例を示す図である。
このサービス情報修正更新画面８３は、非公開地域資源１２３のサービス情報を修正する画面である。サービス情報修正更新画面８３には、サービス情報入力一覧８３２と、キャンセルボタン８３３、更新ボタン８３４が表示される。
キャンセルボタン８３３は、現在のサービス情報修正更新画面８３を表示する前に表示していたサービス情報詳細画面８２に遷移するボタンである。更新ボタン８３４は、モードＭ８２のサービス情報詳細画面８２に遷移するボタンである。
【０１５４】
サービス情報入力一覧８３２は、サービス提供元名称コンボボックス７７１、サービス提供元ＨＰ欄、サービス提供元情報欄を含んでいる。サービス提供元名称コンボボックス７７１には、モードＭ６１の事業者一覧画面６１に表示される事業者がプルダウンメニューで表示される。サービス提供元名称コンボボックス７７１によりサービス提供元の名称が選択されると、連動してサービス提供元ＨＰ欄とサービス提供元情報欄の表示内容が切り替わる。
【０１５５】
サービス情報入力一覧８３２は、事業者区分コンボボックス７７２、画像ファイルのアップロード欄７７３、サービス名称テキストボックス７７４を含んでいる。画像ファイルのアップロード欄７７３の参照ボタンをクリックすることで、端末２に保存されている画像ファイルを選択可能である。実際に画像ファイルが資源管理システム１にアップロードされるのは、このサービス情報入力一覧８３２の情報が登録されたときである。キャンセルボタンは、既に船体された画像ファイルをキャンセルするためのボタンである。
【０１５６】
サービス情報入力一覧８３２は、サービス提供場所の入力フォームとして、名称テキストボックス７７５、都道府県コンボボックス７７６、市区町村コンボボックス７７７、町名番地テキストボックス７７８、建物・部屋番号テキストボックス７７９を含んでいる。サービス提供場所入力フォーム追加ボタン７８１のクリックにより、新たなサービス提供場所の入力フォームが追加され、削除ボタン７８０のクリックにより、サービス提供場所の入力フォームが削除される。
【０１５７】
サービス提供場所の入力フォームのうち、名称テキストボックス７７５により、サービス提供場所の名称をテキストで入力する。都道府県コンボボックス７７６および市区町村コンボボックス７７７により、それぞれ都道府県と市区町村を選択する。更に町名番地テキストボックス７７８および建物・部屋番号テキストボックス７７９に、それぞれ町名番地と建物・部屋番号をテキストで入力する。
【０１５８】
更にサービス情報入力一覧８３２は、サービス説明ＨＰテキストボックス７８２、カテゴリチェックボックス７８３を含んでいる。
カテゴリチェックボックス７８３の表示名称は、大分類・小分類新規登録画面７４の表示名称テキストボックス７５１で入力された内容である。カテゴリチェックボックス７８３のサービス分類は、大分類・小分類新規登録画面７４のサービス分類表示名称コンボボックス７５４で選択された内容である。各サービス分類の順序は、大分類・小分類新規登録画面７４のサービス分類表示優先度スピンボタン７５５で設定した表示優先度によって決定される。
【０１５９】
図４１に示すようにサービス情報入力一覧８３２は、対象エリアの入力フォームである都道府県コンボボックス７８４、市区町村コンボボックス７８５、地区テキストボックス７８６を含んでいる。
【０１６０】
対象エリア入力フォーム追加ボタン７８７のクリックにより、新たな対象エリアの入力フォームを追加することができる。対象エリアの入力フォームのうち、都道府県コンボボックス７８４および市区町村コンボボックス７８５により、それぞれ都道府県と市区町村を選択する。更に地区テキストボックス７８６に対象エリアの地区をテキストで入力する。
【０１６１】
サービス情報入力一覧８３２は、開催日時テキストボックス７８８、サービス概要テキストボックス７８９、有償・無償コンボボックス７９０、料金目安テキストボックス７９１、対象者テキストボックス７９２、申し込み方法テキストボックス７９３を含んでいる。
サービス情報入力一覧８３２は、お問合せ先情報の入力と備考テキストボックス７９９を含んでいる。お問合せ先情報の入力には、お問合せ先名称テキストボックス７９４、お問合せ先ＴＥＬテキストボックス７９５、お問合せ先携帯テキストボックス７９６、お問合せ先ＦＡＸテキストボックス７９７、お問合せ先E-mailテキストボックス７９８が含まれる。
【０１６２】
開催日時テキストボックス７８８は、複数行のテキストの入力が可能であり、サービスの開催日時が入力される。有償・無償コンボボックス７９０には、「有償」、「無償」、「条件付き無償」、「その他」、「不明」が選択可能にメニュー表示される。料金目安テキストボックス７９１は、複数行のテキストの入力が可能であり、参考値として料金の目安が入力される。対象者テキストボックス７９２は、複数行のテキストの入力が可能であり、サービスが想定している対象者が入力される。申し込み方法テキストボックス７９３は、複数行のテキストの入力が可能であり、サービスの申し込み方法が入力される。
お問合せ先名称テキストボックス７９４は、テキストの入力が可能であり、このサービスに関する問合せ先名称が入力される。
お問合せ先ＴＥＬテキストボックス７９５は、テキストの入力が可能であり、お問合せ先の固定電話の番号が入力される。お問合せ先携帯テキストボックス７９６は、テキストの入力が可能であり、お問合せ先の携帯電話の番号が入力される。お問合せ先ＦＡＸテキストボックス７９７は、テキストの入力が可能であり、お問合せ先のファクシミリの番号が入力される。お問合せ先ＴＥＬテキストボックス７９５、お問合せ先携帯テキストボックス７９６、お問合せ先ＦＡＸテキストボックス７９７は、それぞれ番号の表記形式の記号である“−”（ハイフン）が入力可能である。
お問合せ先E-mailテキストボックス７９８は、テキストの入力が可能であり、お問合せ先の電子メールアドレス情報が入力される。
備考テキストボックス７９９は、複数行のテキストの入力が可能であり、このサービスに関する「備考」が入力される。
【０１６３】
図４２は、サービス情報新規登録画面８８の一例を示す図である。
このサービス情報新規登録画面８８は、非公開地域資源１２３に、新たなサービス情報を登録するための画面である。このサービス情報新規登録画面８８は、図４０と図４１に示したサービス情報入力一覧８３２と同様なサービス情報入力一覧８８２を含み、更に「クリップからコピー」ボタン８８１、「戻る」ボタン８８３、登録ボタン８８４、削除ボタン８８５を含んでいる。
「クリップからコピー」ボタン８８１は、公開されている一般公開地域資源１２１や一般公開介護保険サービス１２２の資源情報から、事業者向けの非公開地域資源１２３にデータをコピーするボタンである。この「クリップからコピー」ボタン８８１を選択すると、後記するクリップ一覧画面８０（図４３参照）に遷移する。
「戻る」ボタン８８３は、現在のサービス情報新規登録画面８８を表示する前に表示していたサービス情報一覧画面８１に遷移するボタンである。
登録ボタン８８４は、サービス情報入力一覧８８２の情報を資源管理システム１に登録したのち、サービス情報一覧画面８１に遷移するボタンである。
削除ボタン８８５は、サービス情報入力一覧８８２の情報を削除（破棄）したのち、サービス情報一覧画面８１に遷移するボタンである。
【０１６４】
図４３は、クリップ一覧画面８０の一例を示す図である。
このクリップ一覧画面８０は、一般公開地域資源情報の詳細画面４６（図１２参照）でクリップしたサービス情報を一覧形式で表示する画面である。クリップ一覧画面８０には、上側にホームメニュー６０１、サービス情報管理メニュー６０２、「自社のシステム登録」メニュー６０３、マイページメニュー６０４が表示される。更にクリップ一覧画面８０には、「クリップした一般公開地域資源」タブ８０１と「クリップした一般公開介護情報」タブ８０２とが選択可能に表示され、「クリップした一般公開地域資源」タブ８０１は、サービス情報一覧８０３を含んでいる。このサービス情報一覧８０３は、情報更新日項目、サービス名称項目、サービス提供元名称項目、有償無償項目、クリップ数項目が一覧表示され、更にサービス毎にコピーボタン８０４とサービス提供元登録ボタン８０５が表示される。なお、サービス提供元が登録されていないときには、コピーボタン８０４は無効となっている。サービス提供元登録ボタン８０５をクリックすることにより、そのサービス提供元が登録されて、以降はサービス提供元登録ボタン８０５が無効となり、コピーボタン８０４が有効となる。図４３の例でいうと、「株式会社シニア□□」と「□□区社会福祉協議会」と「□□区役所福祉課」は、未だ当該ユーザに登録されていないのでコピーボタン８０４は無効であり、サービス提供元登録ボタン８０５は有効である。「□□区役所環境政策課」は、当該ユーザによって登録されているのでコピーボタン８０４は有効であり、サービス提供元登録ボタン８０５は無効である。
【０１６５】
コピーボタン８０４のクリックにより、クリップされたサービス情報は、非公開地域資源１２３に引き渡されて、サービス情報新規登録画面８８に遷移する。遷移後のサービス情報新規登録画面８８のサービス情報入力一覧８８２には、コピーしたサービス情報が反映される。但し、サービス情報のうち、サービス提供事業者情報と、クリップ一覧画面８０には表示されないコメント情報と、評価情報と、職員用のコメントである備考情報と、お問合せ先情報（名称、電話番号、携帯番号、ＦＡＸ番号、電子メール）は、非公開地域資源１２３に引き渡されない。これにより、サービス情報の入力の手間を省くことができる。また、サービス情報のうちカテゴリ情報は、カテゴリ設定データベース１２５に基づいて変換され、複製元での大分類とは異なる大分類や、複製元での大分類とは異なる大分類に基づいた小分類として、選択可能にサービス情報新規登録画面８８に表示される。これにより、各事業者は、非公開のサービス情報を所望のカテゴリで分類可能となる。
【０１６６】
ここでは、「クリップした一般公開地域資源」タブ８０１について説明したが、「クリップした一般公開介護情報」タブ８０２も同様なサービス情報の一覧を含み、同様にサービス情報を選択してコピーすることができる。
【０１６７】
図４４は、システム引渡登録画面８５の一例を示す図である。
このシステム引渡登録画面８５には、サービス情報入力一覧８５１と、「戻る」ボタン８５２、「システムに登録」ボタン８５３が表示される。このサービス情報入力一覧８５１には、サービス情報入力一覧８３２と同様な情報であり、かつ資源管理システム１に引き渡す（登録する）情報が入力されている。
「戻る」ボタン８５２は、現在のサービス情報入力一覧８５１を資源管理システム１に登録せず、現在のシステム引渡登録画面８５を表示する前に表示していたサービス情報詳細画面８２に遷移するボタンである。
「システムに登録」ボタン８５３は、現在のサービス情報入力一覧８５１を資源管理システム１に登録したのち、現在のシステム引渡登録画面８５を表示する前に表示していたサービス情報詳細画面８２に遷移するボタンである。
【０１６８】
図４５は、マイページ投稿の処理を示す概念図である。
資源管理システム１の関係データベース１２（図１参照）には、一般公開地域資源１２１、一般公開介護保険サービス１２２、非公開地域資源１２３が格納されている。
【０１６９】
一般公開地域資源１２１は、資源管理システム１が一般利用者２９（図２参照）に公開している地域資源情報のデータベースである。一般公開介護保険サービス１２２は、システムが一般利用者２９に公開している介護サービス情報のデータベースである。非公開地域資源１２３は、事業者２８が内部的に保存した資源情報のデータベースであり、当該事業者２８または当該事業者２８が属するグループ２７以外には公開されない。ステップＳ６１の処理により、非公開地域資源１２３に格納された資源情報は、一般公開地域資源の投稿フォーマットにより引き渡される（資源投稿）。図４４のシステム引渡登録画面８５において、「システムに登録」ボタン８５３がクリックされたときに、サーバ装置３がステップＳ６１の処理を実行する。このとき「一般公開地域資源」「一般公開介護保険サービス」は特に指定しない。資源管理システム１は、登録された地域資源情報が「一般公開地域資源」と「一般公開介護保険サービス」のどちらかであるかを判別して格納する。
【０１７０】
これら一般公開地域資源１２１や一般公開介護保険サービス１２２のデータは、例えば管理者２８１によりクリップされる。クリップされた地域資源データや介護サービスデータは、ステップＳ６０の処理により、「一般公開地域資源」と「一般公開介護保険サービス」の区別なく資源管理システム１の共通データフォーマットに移行し、非公開地域資源１２３に格納される。具体的にいうと、図４３のクリップ一覧画面８０で、サービス提供元登録ボタン８０５とコピーボタン８０４とがクリックされたならば、共通データフォーマットへ移行した地域資源情報が図４２のサービス情報新規登録画面８８上のサービス情報に反映され、非公開地域資源１２３に格納される。
つまり、公開されている資源管理システム１の一般公開地域資源１２１や一般公開介護保険サービス１２２をサービス情報共有ページにデータをコピーすることで、独自のデータベースを構築可能である。またサービス情報共有ページで作成した介護サービス情報を資源管理システム１の一般公開地域資源１２１や一般公開介護保険サービス１２２に投稿することもできる。
【０１７１】
図４６は、サービス情報検索画面８４の一例を示す図である。
このサービス情報検索画面８４は、非公開地域資源１２３から所望のサービス情報を検索するための画面である。サービス情報検索画面８４は、「事業者で検索」コンボボックス８４１、「キーワードで検索」テキストボックス８４２、検索条件一覧８４３、「条件をクリア」ボタン８４８、検索ボタン８４９を含んでいる。検索条件一覧８４３は、カテゴリチェックボックス８４４、期間ラジオボタン８４５、費用チェックボックス８４６、提供元チェックボックス８４７を含んでいる。
【０１７２】
「事業者で検索」コンボボックス８４１は、登録された事業者を選択可能にメニュー表示する。「キーワードで検索」テキストボックス８４２は、テキスト項目を検索するキーワードをテキストで入力可能とする。検索条件一覧８４３のカテゴリチェックボックス８４４は、の表示名称は、大分類・小分類新規登録画面７４の表示名称テキストボックス７５１で入力された内容である。期間ラジオボタン８４５は、「期間すべて」、「１年以内の情報」、「３ヶ月以内の情報」のうちいずれかを選択するものである。費用チェックボックス８４６は、「費用すべて」、「有償」、「無償」を選択するものである。期間ラジオボタン８４５と費用チェックボックス８４６は、利用者向けページにおける詳細検索条件指定画面４４の検索条件と同一である。
提供元チェックボックス８４７は、「提供元すべて」、「行政」、「民間」、「ＮＰＯ・ボランティア」を選択するものである。
「条件をクリア」ボタン８４８は、このサービス情報検索画面８４に設定された検索条件をすべてクリアするボタンである。検索ボタン８４９は、このサービス情報検索画面８４に設定された検索条件で検索を実行して、サービス情報一覧画面８１に遷移するボタンである。
【０１７３】
図４７は、サービス一覧印刷画面８６の一例を示す図である。
このサービス一覧印刷画面８６は、非公開地域資源１２３に格納され、かつアクセス可能なサービス情報を一覧形式で印刷する画面である。このサービス一覧印刷画面８６は、上部に印刷プレビューボタン８６１と「印刷する」ボタン８６２が配置され、その下に印刷範囲８６３と「戻る」ボタン８６４とが配置されている。
印刷プレビューボタン８６１は、ブラウザの印刷プレビュー画面を表示するボタンである。「印刷する」ボタン８６２は、印刷項目設定画面８７（図４８参照）に遷移するボタンである。
【０１７４】
印刷範囲８６３は、サービス分類欄と、サービス名欄と、サービス提供元名欄と、お問合せ先欄を一覧形式で表示する。なおサービス分類欄には、複数のサービス分類のうち序列の優先度が最も高いものが１つだけ表示される。お問合せ先欄には、電話番号が表示される。
「戻る」ボタン８６４は、このサービス一覧印刷画面８６を閉じて、元の画面に戻るためのボタンである。
【０１７５】
図４８は、印刷項目設定画面８７の一例を示す図である。
この印刷項目設定画面８７は、非公開地域資源１２３に格納され、かつアクセス可能なサービス情報の項目を選択して印刷する画面である。この印刷項目設定画面８７は、上部に印刷プレビューボタン８７１と、「印刷する」ボタン８７２が配置され、その下に印刷項目設定８７３と「戻る」ボタン８７４とが配置されている。
印刷プレビューボタン８７１は、ブラウザの印刷プレビュー画面を表示するボタンである。「印刷する」ボタン８７２は、ブラウザの印刷ダイアログを表示するボタンである。
【０１７６】
印刷項目設定８７３は、サービス名称項目、サービス分類項目、サービス提供元情報項目、サービス提供元ＨＰ項目、サービス概要項目、サービス説明ＨＰ項目、対象エリア項目、サービス提供場所項目、対象者項目、有償無償項目、料金目安項目、申し込み方法項目、お問合せ先情報項目を含んでいる。上記の各項目のうち、サービス名称項目、サービス分類項目、サービス提供元情報項目は、必須印刷項目であり、チェックボックスが設けられていない。サービス提供元ＨＰ項目、サービス概要項目、サービス説明ＨＰ項目、対象エリア項目、サービス提供場所項目、対象者項目、有償無償項目、料金目安項目、申し込み方法項目、お問合せ先情報項目には、印刷項目チェックボックスが配置されている。これら印刷項目チェックボックスにチェックがある項目は、印刷の対象であり、チェックがない項目は印刷の対象外である。初期状態において、すべての印刷項目チェックボックスはチェックされている。
【０１７７】
サービス提供元ＨＰ項目やサービス説明ＨＰ項目がチェックされているとき、ブラウザは、ハイパーリンクの表示文字列とＵＲＬを分解してそれぞれを印刷する。
対象エリア項目がチェックされているとき、ブラウザは、地図を含めて内容を印刷する。サービス提供場所項目がチェックされているとき、ブラウザは、その内容を印刷する。
「戻る」ボタン８７４は、この印刷項目設定画面８７を閉じて、元の画面に戻るためのボタンである。
【０１７８】
《システム掲載情報に関する操作》
以下の図４９から図５４を参照して、システム掲載情報に関する操作を説明する。この操作は、資源管理システム１に引き渡して一般公開された地域資源データを更新したのち、改めて資源管理システム１に投稿するものである。
図４９は、システム掲載情報一覧画面９１の一例を示す図である。
このシステム掲載情報一覧画面９１は、資源管理システム１の利用者ページに掲載された情報、すなわち一般公開地域資源１２１と一般公開介護保険サービス１２２に格納されたサービス情報を一覧形式で表示する画面である。システム掲載情報一覧画面９１には、上側にホームメニュー６０１、サービス情報管理メニュー６０２、「自社のシステム登録」メニュー６０３、マイページメニュー６０４が表示される。更にシステム掲載情報一覧画面９１には、検索条件再設定ボタン９１１、サービス提供元設定コンボボックス９１２、システム掲載情報一覧９１３、新規登録ボタン９１４、一覧印刷ボタン９１５が表示される。
【０１７９】
検索条件再設定ボタン９１１は、システム掲載情報一覧９１３に表示する情報の検索条件を再設定する画面に遷移するボタンである。
サービス提供元設定コンボボックス９１２は、システム掲載情報一覧９１３に表示する情報に係るサービス提供元を選択可能にメニュー表示するものである。
システム掲載情報一覧９１３は、現在の検索条件によって検索されたシステム掲載情報を一覧で表示する。このシステム掲載情報一覧９１３は、番号欄、更新日欄、サービス名欄、サービス提供元欄、カテゴリ欄、評価欄、システム提供済み欄を含んでいる。システム掲載情報一覧９１３のサービス名には、該当情報へのハイパーリンクが張られている。この該当情報へのハイパーリンクを選択すると、システム掲載情報詳細画面９２（図５１と図５２参照）に遷移する。
新規登録ボタン９１４は、システム掲載情報新規登録画面９４（図５４参照）に遷移するボタンである。一覧印刷ボタン９１５は、システム掲載情報一覧９１３に表示されているシステム掲載情報を一覧形式で印刷するボタンである。
【０１８０】
図５０は、システム掲載情報一覧画面９１からの遷移を示す図である。
資源管理システム１は、システム掲載情報一覧画面９１（図４９参照）を表示するモードＭ９１において、該当情報のリンクが選択されたらシステム掲載情報詳細画面９２（図５１と図５２参照）を表示するモードＭ９２に遷移し、新規登録が選択されたらシステム掲載情報新規登録画面９４（図５４参照）を表示するモードＭ９４に遷移する。更に資源管理システム１は、モードＭ９２において編集ボタン９２３が選択されたら、システム掲載情報修正更新画面９３（図５３参照）を表示するモードＭ９３に遷移する。
【０１８１】
資源管理システム１は、システム掲載情報新規登録画面９４（図５４参照）を表示するモードＭ９４において「システムへ提供」または「戻る」が選択されたならば、システム掲載情報一覧画面９１（図４９参照）を表示するモードＭ９１に遷移する。資源管理システム１は、システム掲載情報修正更新画面９３（図５３参照）を表示するモードＭ９３において「システムへ提供」または「戻る」が選択されたならば、モードＭ９２に遷移し、更に「システムへ提供」または「戻る」が選択されたならば、システム掲載情報一覧画面９１（図４９参照）を表示するモードＭ９１に遷移する。
【０１８２】
図５１と図５２は、システム掲載情報詳細画面９２の一例を示す図である。
このシステム掲載情報詳細画面９２は、資源管理システム１の利用者ページに掲載された情報、すなわち一般公開地域資源１２１と一般公開介護保険サービス１２２に格納されたサービス情報の詳細を表示する画面である。システム掲載情報詳細画面９２には、サービス名を示す「配食サービス」と、サービス提供元名称を示す「□□フーズ」と、カテゴリ、情報更新日が表示される。システム掲載情報詳細画面９２には、更に総合評価およびシステム掲載情報詳細９２２が表示され、その下に編集ボタン９２３、「戻る」ボタン９２４、「システムへ提供」ボタン９２５が表示される。総合評価には、各メンバの評価がリアルタイムに反映され、それらの平均値と各評価の評価数とが表示される。
【０１８３】
システム掲載情報詳細９２２に表示される内容は、図３７と図３８に示したサービス情報詳細８２３と同様である。
編集ボタン９２３は、モードＭ９３のシステム掲載情報修正更新画面９３に遷移し、システム掲載情報を編集するためのボタンである。「戻る」ボタン９２４は、システム掲載情報を破棄してモードＭ９１のシステム掲載情報一覧画面９１に戻るボタンである。「システムへ提供」ボタン９２５は、システム掲載情報詳細９２２に表示される内容を改めて資源管理システム１に提供投稿するものである。
【０１８４】
図５３は、システム掲載情報修正更新画面９３の一例を示す図である。
このシステム掲載情報修正更新画面９３は、資源管理システム１に掲載された情報、すなわち一般公開地域資源１２１と一般公開介護保険サービス１２２に格納されていたサービス情報を修正する画面である。システム掲載情報修正更新画面９３には、図４４に示したサービス情報入力一覧８５１と同様なシステム掲載情報入力一覧９３１と、「戻る」ボタン９３２、「システムへ提供」ボタン９３３が表示される。このシステム掲載情報入力一覧９３１には、資源管理システム１に引き渡す（登録する）情報が入力されている。
「戻る」ボタン９３２は、現在のシステム掲載情報入力一覧９３１を資源管理システム１に登録せず、現在のシステム掲載情報修正更新画面９３を表示する前に表示していたシステム掲載情報一覧画面９１（図４９参照）に遷移するボタンである。
「システムへ提供」ボタン９３３は、現在のシステム掲載情報入力一覧９３１を資源管理システム１に登録したのち、現在のシステム掲載情報修正更新画面９３を表示する前に表示していたシステム掲載情報詳細画面９２（図５１と図５２参照）に遷移するボタンである。
【０１８５】
図５４は、システム掲載情報新規登録画面９４の一例を示す図である。
このシステム掲載情報新規登録画面９４には、図４４に示したサービス情報入力一覧８５１と同様なシステム掲載情報入力一覧９４１と、「戻る」ボタン９４２、「システムへ提供」ボタン９４３が表示される。このシステム掲載情報入力一覧９４１には、資源管理システム１に引き渡す（登録する）情報が入力されている。
「戻る」ボタン９４２は、現在のシステム掲載情報入力一覧９４１を資源管理システム１に登録せず、現在のシステム掲載情報新規登録画面９４を表示する前に表示していたシステム掲載情報一覧画面９１（図４９参照）に遷移するボタンである。
「システムへ提供」ボタン９４３は、現在のシステム掲載情報入力一覧９４１を資源管理システム１に登録したのち、システム掲載情報一覧画面９１（図４９参照）に遷移するボタンである。
【０１８６】
サービス情報共有ページは、事業者やその経営者に対しては、従業員の退職に伴うノウハウの流出防止や、事業者内だけの評価による若手へのノウハウ共有を可能とする。更にサービス情報共有ページは、スマートフォン等で外から情報閲覧可能であるため即時対応による顧客満足度向上が可能であり、チラシで管理でなくなるため、災害時にもノウハウ情報を確保可能である。
更にサービス情報共有ページは、行政に対して、総合事業の推進に伴う、各地域包括センタ単位での地域サービス情報の集約と、各地域包括センタ間でのサービス情報の共有を可能とする。つまり、サービス情報共有ページは、各地域包括センタに不足しているサービスを可視化することができる。
サービス情報共有ページは、地域包括センタに対して、クローズなノウハウ共有を可能とする。更にサービス情報共有ページは、スマートフォン等で外から情報閲覧可能であるため即時対応による顧客満足度向上が可能であり、チラシで管理でなくなるため、災害時にもノウハウ情報を確保可能である。
【０１８７】
なお、前述した説明では、介護サービス関連の情報を扱う資源管理システム１の例を説明しているが、その他の情報を扱うシステムに適用することも可能である。また、前述した説明では、サーバ装置３による処理として説明しているが、端末２の処理によって実現することも可能である。この場合、端末２のプロセッサ２１は、前述した検索プログラムと同様のアプリケーションプログラムを実行し、サーバ装置３から必要な処理に必要なデータを受信することで、前述したサーバ装置３と同等の機能を実現する。また、前述した説明では、１台のサーバ装置３により情報検索サービスを提供するとしているが、複数台のサーバ装置３が協同して情報検索サービスを提供するようにしても良い。
【０１８８】
また、実施形態において記載した手法、すなわち各フローチャートに示す処理等の各手法は、コンピュータに実行させることができるプログラムとして、メモリカード（ＲＯＭカード、ＲＡＭカード等）、磁気ディスク（フレキシブルディスク、ハードディスク等）、光ディスク（ＣＤ−ＲＯＭ、ＤＶＤ等）、半導体メモリ等の記録媒体に格納して配布することができる。そして、コンピュータは、外部記録媒体に記録されたプログラムを読み込み、このプログラムによって動作が制御されることにより、実施形態において説明した機能と同様の処理を実現することができる。
【０１８９】
また、各手法を実現するためのプログラムのデータは、プログラムコードの形態としてネットワーク（インターネット）上を伝送させることができ、このネットワーク（インターネット）に接続されたコンピュータ（サーバ装置等）からプログラムデータを取り込み、前述した実施形態と同様の機能を実現することもできる。
【０１９０】
なお、本願発明は、実施形態に限定されるものではなく、実施段階ではその要旨を逸脱しない範囲で種々に変形することが可能である。更に実施形態には種々の段階の発明が含まれており、開示される複数の構成要件における適宜な組み合わせにより種々の発明が抽出され得る。例えば、実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１９１】
以下に、この出願の願書に最初に添付した特許請求の範囲に記載した発明を付記する。付記に記載した請求項の項番は、この出願の願書に最初に添付した特許請求の範囲の通りである。
〔付記〕
《請求項１》
所定の提供元により提供される介護サービスの内容情報が前記提供元を識別するための識別情報に対応付けられているとともに所定のカテゴリに分類されて、介護サービス情報として記憶されている第１のデータベースおよび第２のデータベースと、
前記第１のデータベースから前記第２のデータベースへの前記介護サービス情報の複製が指示された際に、複製元でのカテゴリとは異なるカテゴリを選択可能に表示させる表示制御手段と、
を備えたことを特徴とするデータ管理システム。
《請求項２》
所定の提供元により提供される介護サービスの内容情報が前記提供元を識別するための識別情報に対応付けられているとともに所定のカテゴリ分類に基づいたカテゴリに分類されて、介護サービス情報として記憶されている第１のデータベースおよび第２のデータベースと、
前記第１のデータベースから前記第２のデータベースへの前記介護サービス情報の複製が指示された際に、複製元でのカテゴリ分類とは異なるカテゴリ分類に基づいたカテゴリを選択可能に表示させる表示制御手段と、
を備えたことを特徴とするデータ管理システム。
《請求項３》
コンピュータに、
所定の提供元により提供される介護サービスの内容情報を前記提供元を識別するための識別情報に対応付けるとともに所定のカテゴリに分類する手順と、
前記介護サービスの内容情報を、介護サービス情報として第１のデータベースおよび第２のデータベースに記憶する手順と、
前記第１のデータベースから前記第２のデータベースへの前記介護サービス情報の複製が指示された際に、複製元でのカテゴリとは異なるカテゴリを選択可能に表示させる手順と、
を実行させるためのデータ管理プログラム。
《請求項４》
コンピュータに、
所定の提供元により提供される介護サービスの内容情報が前記提供元を識別するための識別情報に対応付けられているとともに所定のカテゴリ分類に基づいたカテゴリに分類されて、介護サービス情報として第１のデータベースおよび第２のデータベースに記憶する手順と、
前記第１のデータベースから前記第２のデータベースへの前記介護サービス情報の複製が指示された際に、複製元でのカテゴリ分類とは異なるカテゴリ分類に基づいたカテゴリを選択可能に表示させる手順と、
を実行させるためのデータ管理プログラム。
【符号の説明】
【０１９２】
１  資源管理システム  （データ管理システム）
１１  ロードバランサ
１２  関係データベース
１２１  一般公開地域資源  （第１のデータベース）
１２２  一般公開介護保険サービス  （第１のデータベース）
１２３，１２３ａ〜１２３ｃ  非公開地域資源  （第２のデータベース）
１２４  事業者データベース
１２５  カテゴリ設定データベース
２  端末
３ａ，３ｂ  サーバ装置
４０，４０ａ  ホームページ画面
４２ａ，４２ｂ  一般公開地域資源情報一覧画面
４４  詳細検索条件指定画面
４６  一般公開地域資源情報の詳細画面
４９  マイページ詳細画面
５０  サービス情報の共有画面
６１  事業者一覧画面
６２  事業者詳細画面
６４  事業者新規登録画面
７１  カテゴリ設定一覧画面
７３  大分類・小分類修正更新画面
７４  大分類・小分類新規登録画面
８０  クリップ一覧画面
８１  サービス情報一覧画面
８２  サービス情報詳細画面
８３  サービス情報修正更新画面
８４  サービス情報検索画面
８５  システム引渡登録画面
８６  サービス一覧印刷画面
８７  印刷項目設定画面
８８  サービス情報新規登録画面
８９  コメント登録画面
９１  システム掲載情報一覧画面
９２  システム掲載情報詳細画面
９３  システム掲載情報修正更新画面
９４  システム掲載情報新規登録画面
【図１】
2018005718.tif 000003
【図２】
2018005718.tif 000004
【図３】
2018005718.tif 000005
【図４】
2018005718.tif 000006
【図５】
2018005718.tif 000007
【図６】
2018005718.tif 000008
【図７】
2018005718.tif 000009
【図８】
2018005718.tif 000010
【図９】
2018005718.tif 000011
【図１０】
2018005718.tif 000012
【図１１】
2018005718.tif 000013
【図１２】
2018005718.tif 000014
【図１３】
2018005718.tif 000015
【図１４】
2018005718.tif 000016
【図１５】
2018005718.tif 000017
【図１６】
2018005718.tif 000018
【図１７】
2018005718.tif 000019
【図１８】
2018005718.tif 000020
【図１９】
2018005718.tif 000021
【図２０】
2018005718.tif 000022
【図２１】
2018005718.tif 000023
【図２２】
2018005718.tif 000024
【図２３】
2018005718.tif 000025
【図２４】
2018005718.tif 000026
【図２５】
2018005718.tif 000027
【図２６】
2018005718.tif 000028
【図２７】
2018005718.tif 000029
【図２８】
2018005718.tif 000030
【図２９】
2018005718.tif 000031
【図３０】
2018005718.tif 000032
【図３１】
2018005718.tif 000033
【図３２】
2018005718.tif 000034
【図３３】
2018005718.tif 000035
【図３４】
2018005718.tif 000036
【図３５】
2018005718.tif 000037
【図３６】
2018005718.tif 000038
【図３７】
2018005718.tif 000039
【図３８】
2018005718.tif 000040
【図３９】
2018005718.tif 000041
【図４０】
2018005718.tif 000042
【図４１】
2018005718.tif 000043
【図４２】
2018005718.tif 000044
【図４３】
2018005718.tif 000045
【図４４】
2018005718.tif 000046
【図４５】
2018005718.tif 000047
【図４６】
2018005718.tif 000048
【図４７】
2018005718.tif 000049
【図４８】
2018005718.tif 000050
【図４９】
2018005718.tif 000051
【図５０】
2018005718.tif 000052
【図５１】
2018005718.tif 000053
【図５２】
2018005718.tif 000054
【図５３】
2018005718.tif 000055
【図５４】
2018005718.tif 000056